(57)【特許請求の範囲】
【請求項１】
入力された映像信号と音声信号とを記録する記録装置であって、
第１の方式からプルダウンされた第２の方式の映像信号と、音声信号とを入力する入力部と、
入力された前記映像信号のプルダウンシーケンスの不連続を検出する制御部と、
前記映像信号が前記第１の方式の映像信号として記録されるように前記映像信号を記録するか否かを指示する映像記録指示情報と、前記音声信号を記録するか否かを指示する音声記録指示情報とを生成する記録指示情報生成部と、
生成された前記映像記録指示情報及び前記音声記録指示情報により記録すると指示された映像信号及び音声信号に基づき、映像記録データと音声記録データとを出力する記録部とを備え、
前記制御部は、前記プルダウンシーケンスの不連続を検出した後の所定の期間前記映像信号の記録が停止することで、記録された映像信号のプルダウンシーケンスが連続になるように、前記所定の期間の記録の状態を、前記映像信号と前記音声信号とを記録しない非記録状態と決定し、
前記記録指示情報生成部は、決定された前記記録の状態に従って、前記映像記録指示情報と前記音声記録指示情報とを生成し、
前記制御部は、
入力された前記映像信号のプルダウンシーケンスを検出するプルダウンシーケンス検出部と、
検出された前記プルダウンシーケンスを示す情報が、第１のプルダウンシーケンスから第２のプルダウンシーケンスに変化したことを不連続として検出するシーケンス状態制御部と、
前記映像信号と前記音声信号とを記録する記録の状態を決定するシーケンス処理プロセス制御部とを備え、
前記シーケンス処理プロセス制御部は、
前記シーケンス状態制御部が不連続を検出した場合、前記不連続が検出されてから前記第１のプルダウンシーケンスが予め定められた値になるまでの第１期間の記録の状態を、前記第１のプルダウンシーケンスに従って前記映像信号と前記音声信号とを記録する記録状態と決定し、
前記第１期間経過後、前記第２のプルダウンシーケンスが前記予め定められた値になるまでの第２期間の記録の状態を、前記映像信号と前記音声信号とを記録しない非記録状態と決定し、
前記第２期間経過後の記録の状態を、前記第２のプルダウンシーケンスに従って前記映像信号と前記音声信号とを記録する記録状態と決定し、
前記制御部は、さらに、入力された前記映像信号の乱れを検出する入力乱れ検出部を備え、
前記シーケンス処理プロセス制御部は、さらに、前記乱れが検出されている間の記録の状態を、前記乱れが検出される前の前記映像信号のプルダウンシーケンスを示す情報である前記第１のプルダウンシーケンスに従って前記映像信号と前記音声信号とを記録する記録状態と決定し、
前記シーケンス状態制御部は、前記プルダウンシーケンスを示す情報が、前記第１のプルダウンシーケンスから、前記乱れが検出されなくなった後に前記第２のプルダウンシーケンスに変化したことを不連続として検出する
記録装置。
【請求項２】
入力された映像信号と音声信号とを記録する記録装置であって、
第１の方式からプルダウンされた第２の方式の映像信号と、音声信号とを入力する入力部と、
入力された前記映像信号のプルダウンシーケンスの不連続を検出する制御部と、
前記映像信号が前記第１の方式の映像信号として記録されるように前記映像信号を記録するか否かを指示する映像記録指示情報と、前記音声信号を記録するか否かを指示する音声記録指示情報とを生成する記録指示情報生成部と、
生成された前記映像記録指示情報及び前記音声記録指示情報により記録すると指示された映像信号及び音声信号に基づき、映像記録データと音声記録データとを出力する記録部とを備え、
前記制御部は、前記プルダウンシーケンスの不連続を検出した後の所定の期間前記映像信号の記録が停止することで、記録された映像信号のプルダウンシーケンスが連続になるように、前記所定の期間の記録の状態を、前記映像信号と前記音声信号とを記録しない非記録状態と決定し、
前記記録指示情報生成部は、決定された前記記録の状態に従って、前記映像記録指示情報と前記音声記録指示情報とを生成し、
前記制御部は、
入力された前記映像信号のプルダウンシーケンスを検出するプルダウンシーケンス検出部と、
検出された前記プルダウンシーケンスを示す情報が、第１のプルダウンシーケンスから第２のプルダウンシーケンスに変化したことを不連続として検出するシーケンス状態制御部と、
前記映像信号と前記音声信号とを記録する記録の状態を決定するシーケンス処理プロセス制御部とを備え、
前記シーケンス処理プロセス制御部は、
前記シーケンス状態制御部が不連続を検出した場合、前記不連続が検出されてから前記第１のプルダウンシーケンスが予め定められた値になるまでの第１期間の記録の状態を、前記第１のプルダウンシーケンスに従って前記映像信号と前記音声信号とを記録する記録状態と決定し、
前記第１期間経過後、前記第２のプルダウンシーケンスが前記予め定められた値になるまでの第２期間の記録の状態を、前記映像信号と前記音声信号とを記録しない非記録状態と決定し、
前記第２期間経過後の記録の状態を、前記第２のプルダウンシーケンスに従って前記映像信号と前記音声信号とを記録する記録状態と決定し、
前記制御部は、さらに、入力された前記映像信号の乱れを検出する入力乱れ検出部を備え、
前記シーケンス状態制御部は、前記乱れが検出されたときに、前記第１のプルダウンシーケンスから前記第２のプルダウンシーケンスに変化したとして不連続を検出し、
前記シーケンス処理プロセス制御部は、
前記不連続が検出された場合、前記第１期間の記録の状態を、前記第１のプルダウンシーケンスに従って前記映像信号と前記音声信号とを記録する記録状態と決定し、
前記第１期間経過後、前記乱れが検出されなくなり、かつ前記第２のプルダウンシーケンスが前記予め定められた値になるまでの前記第２期間の記録の状態を、前記映像信号と前記音声信号とを記録しない非記録状態と決定し、
前記第２期間経過後の記録の状態を、前記第２のプルダウンシーケンスに従って前記映像信号と前記音声信号とを記録する記録状態と決定する
記録装置。
【請求項３】
入力された映像信号と音声信号とを記録する記録装置であって、
第１の方式からプルダウンされた第２の方式の映像信号と、音声信号とを入力する入力部と、
入力された前記映像信号のプルダウンシーケンスの不連続を検出する制御部と、
前記映像信号が前記第１の方式の映像信号として記録されるように前記映像信号を記録するか否かを指示する映像記録指示情報と、前記音声信号を記録するか否かを指示する音声記録指示情報とを生成する記録指示情報生成部と、
生成された前記映像記録指示情報及び前記音声記録指示情報により記録すると指示された映像信号及び音声信号に基づき、映像記録データと音声記録データとを出力する記録部とを備え、
前記制御部は、前記プルダウンシーケンスの不連続を検出した後の所定の期間前記映像信号の記録が停止することで、記録された映像信号のプルダウンシーケンスが連続になるように、前記所定の期間の記録の状態を、前記映像信号と前記音声信号とを記録しない非記録状態と決定し、
前記記録指示情報生成部は、決定された前記記録の状態に従って、前記映像記録指示情報と前記音声記録指示情報とを生成し、
前記制御部は、
入力された前記映像信号のプルダウンシーケンスを検出するプルダウンシーケンス検出部と、
記録中の前記映像信号のプルダウンシーケンスを示す情報である第１のプルダウンシーケンスを生成する記録シーケンス生成部と、
前記プルダウンシーケンス検出部が検出した前記映像信号のプルダウンシーケンスを示す情報である第２のプルダウンシーケンスと前記第１のプルダウンシーケンスとが不一致になったことを不連続として検出するワーニング検出部と、
前記映像信号と前記音声信号とを記録する記録の状態を決定する記録開始停止制御部とを備え、
前記記録開始停止制御部は、
前記ワーニング検出部が不連続を検出した場合、前記不連続が検出されてから前記第１のプルダウンシーケンスが予め定められた値になるまでの第１期間の記録の状態を、前記第１のプルダウンシーケンスに従って前記映像信号と前記音声信号とを記録する記録状態と決定し、
前記第１期間経過後、前記第２のプルダウンシーケンスが前記予め定められた値になるまでの第２期間の記録の状態を、前記映像信号と前記音声信号とを記録しない非記録状態と決定し、
前記第２期間経過後の記録の状態を、前記第２のプルダウンシーケンスに従って前記映像信号と前記音声信号とを記録する記録状態と決定する
記録装置。
【請求項４】
前記制御部は、さらに、入力された前記映像信号の乱れを検出する入力乱れ検出部を備え、
前記ワーニング検出部は、前記乱れが検出されたときに、前記第１のプルダウンシーケンスと前記第２のプルダウンシーケンスとが不一致になったとして不連続を検出し、
前記記録開始停止制御部は、
前記不連続が検出された場合、前記第１期間の記録の状態を、前記第１のプルダウンシーケンスに従って前記映像信号と前記音声信号とを記録する記録状態と決定し、
前記第１期間経過後、前記乱れが検出されなくなり、かつ前記第２のプルダウンシーケンスが前記予め定められた値になるまでの前記第２期間の記録の状態を、前記映像信号と前記音声信号とを記録しない非記録状態と決定し、
前記第２期間経過後の記録の状態を、前記第２のプルダウンシーケンスに従って前記映像信号と前記音声信号とを記録する記録状態と決定する
請求項３に記載の記録装置。
【発明の詳細な説明】
【技術分野】
【０００１】
本発明は、フィルムカメラと同等の撮像効果を実現する記録装置に関し、より詳細には、２−３プルダウン（以下、単に、プルダウンとも称する）された映像信号および音声信号を記録することによって、フィルムシネマシステムと同等の映像制作を行うデジタルシネマ制作分野で使用する記録装置に関する。
【背景技術】
【０００２】
フィルムを用いた映画制作では、１秒間に２４枚のプログレッシブ方式の映像信号（２４Ｐ信号）を記録し、２４Ｐ信号を再生することが行われていた。
【０００３】
近年、フィルムカメラで行われていた映画制作（フィルムシネマ制作）をビデオカメラで代替する提案（デジタルシネマ制作）がなされた。以下にデジタルシネマ制作機器の例を説明する。
【０００４】
図１は、通常のビデオカメラの構成例を示した図である。同図に示すように、通常のビデオカメラでは、１秒間に６０枚のプログレッシブ方式の映像信号（６０Ｐ信号）、または１秒間に６０枚のインターレース方式の映像信号（６０Ｉ信号）をビデオテープに記録する方式が用いられていた。
【０００５】
図２は、プルダウン記録を用いたデジタルシネマ制作機器の構成例を示した図である。同図に示すように、プルダウン記録を用いたデジタルシネマ制作機器では、撮像は２４Ｐ信号で行われ、プルダウン変換部で６０Ｐ信号または６０Ｉ信号に変換されてビデオテープへの記録が行われる。そして、当該デジタルシネマ制作機器では、再生時に逆プルダウン変換部で６０Ｐ信号または６０Ｉ信号が２４Ｐ信号に変換され、または、再生時に６０Ｐ信号または６０Ｉ信号が変換されずに出力が行われる。このようにすることによって、従来のビデオカメラの信号処理回路をそのまま用いて、安価に品質のよいシステムを提供することが出来た。
【０００６】
さらに、近年では記録媒体として、テープ媒体に加えてディスク媒体や半導体メモリ媒体等、ＩＴとの親和性の高い媒体が使用されるようになった。しかし、これらの媒体は、テープ媒体に比べて記録時間当たりの単価が高価であることから、記録容量を節約する記録方法（ネイティブ記録方法）の提案がなされた。
【０００７】
図３は、ネイティブ記録方法を用いたデジタルシネマ制作機器の構成例を示した図である。同図に示すように、ネイティブ記録方法を用いたデジタルシネマ制作機器では、有効フレーム抽出部で、プルダウンシーケンス情報に基づきプルダウン変換された６０Ｐ信号または６０Ｉ信号から重複した映像信号を削除し、記録に必要な映像信号（有効フレーム信号）のみを抽出して記録することにより、記録容量を節約することが実現できた。
【０００８】
また、カメラ一体型記録再生装置のような撮像手段を有する記録再生装置だけではなく、バックアップやダビング、編集などの用途として撮像手段を有しない記録再生装置も提案された。
【０００９】
図４は、撮像手段を有しないデジタルシネマ制作機器の構成例を示した図である。同図に示すように、撮像手段を有しないデジタルシネマ制作機器では、プルダウン変換された６０Ｐ信号または６０Ｉ信号を入力部で受信し、プルダウンシーケンス検出部で検出したプルダウンシーケンス情報に基づき、有効フレーム抽出部で有効フレームを抽出して、記録が行われる。
【００１０】
図２及び図３に示された撮像手段を有する記録再生装置の例のように、入力信号のプルダウン変換を装置内で行う場合は、有効フレーム信号の抽出に使用するプルダウンシーケンス情報を装置内で制御することが可能であり、通常はプルダウンシーケンス情報を一定時間毎に繰り返す情報として制御している。
【００１１】
一方、図４に示された撮像手段を有しない記録再生装置の例のように、６０Ｐ信号または６０Ｉ信号を入力信号とする場合は、入力される映像信号のプルダウンシーケンスが一定時間毎に繰り返されている（連続している）とは限らない。また、プルダウン変換されていない通常の６０Ｐ信号または６０Ｉ信号が入力される可能性もある。このような場合にも有効フレーム信号の視覚的違和感を低減するため、プルダウンシーケンス検出部と有効フレーム抽出部に工夫がなされている。
【００１２】
例えば特許文献１では、６０Ｉ入力信号において２−３プルダウンされた映像信号と２−３プルダウンされていない映像信号とが混在している際の有効フレーム信号の抽出方法が提案されている。この抽出方法では、プルダウンシーケンス情報により、６０Ｉ信号を６０Ｐ信号に変換した映像信号と、６０Ｉ信号を逆プルダウン変換して２４Ｐ信号に変換した後６０Ｐ信号に変換した映像信号と、を切り替えて有効フレーム信号を抽出している。なお、特許文献１では、映像信号の処理に関して記載されており、音声信号の処理に関しては想定されていない。
【特許文献１】特開２００７−８２０４０号公報
【発明の開示】
【発明が解決しようとする課題】
【００１３】
図１〜図４に示された構成例では映像信号の処理に関して記述したが、記録再生装置では映像信号と共に音声信号も記録再生することが行われる。その際の条件として、記録時に同じタイミングで入力された映像信号と音声信号とは、再生時に同じタイミングで出力される（映像信号と音声信号とを同期して出力する）ことが必要となる。これは、映像信号と音声信号とが同期していない素材を視聴すると違和感を感じたり、あるいは体調を悪くしたりすることがあるためである。また、記録中に入力信号が乱れた場合にノイズが記録された素材が出来、素材からノイズ部分を削除する作業をするための工数が必要であった。
【００１４】
以下に、従来の映像信号と音声信号を同期して出力する方法を説明する。
【００１５】
図５は、通常のビデオカメラの映像および音声の記録方法を示した図である。同図に示すように、通常のビデオカメラでは、入力された映像信号および音声信号は削除されることなく記録される。なお、以下に説明する他の図面も含めて、信号処理等による遅延に関しては記述を省略している。
【００１６】
図６は、通常のビデオカメラで記録された素材の映像および音声データを示した図である。この素材について映像信号と音声信号を同期して出力するには、記録映像データと記録音声データの再生開始タイミングを一致させれば可能であることが分かる。
【００１７】
図７は、プルダウン記録方法を用いた映像および音声記録方法を示した図であり、図８は、プルダウン記録方法を用いて記録された映像および音声データを示した図である。この場合も、図５および図６と同様に、映像信号および音声信号は削除されることなく記録され、映像信号と音声信号を同期して出力するには、記録映像データと記録音声データの再生開始タイミングを一致させれば可能であることが分かる。なお、６０Ｐ信号、６０Ｉ信号いずれの場合でも同様である。
【００１８】
図９は、６０Ｐ信号のネイティブ記録方法を示した図である。同図に示される映像記録指示情報は、図４に示されたようなプルダウンシーケンス検出部で検出したプルダウンシーケンス情報に従って、入力された６０Ｐ信号を記録する、あるいは入力された６０Ｐ信号を記録しないように制御するための情報である。プルダウンシーケンス検出部でプルダウンシーケンス情報を検出する方法としては、入力された映像信号のデータを比較することによって検出する方法、あるいは、入力された映像信号に重畳されているタイムコード情報の数値を演算することによって検出する方法、あるいは、入力された映像信号に重畳されているユーザーズビット情報に割り当てたプルダウンシーケンス情報を参照することによって検出する方法、等がある。
【００１９】
図９に示すように、プルダウンシーケンス情報は０から４の数値で表され、６０Ｐ信号の２フレームに対して１つのプルダウンシーケンス情報が割り当てられる。なお、プルダウンシーケンス情報として０が割り当てられたフレームをシーケンスの先頭と称する。
【００２０】
ここで、６０Ｐ信号の２フレームに対して１つのプルダウンシーケンス情報が割り当てられる理由は、６０Ｐ信号と６０Ｉ信号を相互に変換したときの互換を保つためである。６０Ｉ信号は１フレームすなわち２フィールドで１つの映像を構成し、タイムコード情報やプルダウンシーケンス情報等、映像に付随する情報も２フィールドで１つの情報が割り当てられている。６０Ｐ信号と６０Ｉ信号を変換したとき時間軸上では６０Ｉ信号の２フィールドが６０Ｐ信号の２フレームに相当するため、６０Ｐ信号の２フレームに対して１つのプルダウンシーケンス情報が割り当てられる。なお、６０Ｉ信号の２フィールドの前半１フィールドを第１フィールド、後半１フィールドを第２フィールドと呼び、６０Ｐ信号の２フレームの前半１フレームを第１フレーム、後半１フレームを第２フレームと呼ぶ。
【００２１】
映像記録指示情報は、プルダウンシーケンス情報が０および１のときは第１フレームのみ記録するように制御され、プルダウンシーケンス情報が２および３のときは第２フレームのみ記録するように制御され、プルダウンシーケンス情報が４のときはいずれのフレームも記録しないように制御される。以上のように制御すれば、映像信号に関しては６０Ｐ信号のうち映像記録指示情報により記録指示されたフレームのみが有効フレーム信号として抽出され、映像記録データとして処理され記録される。音声信号に関しては、音声記録指示情報は記録動作中は常時記録するよう制御されるので、削除されることなく記録される。
【００２２】
図１０は、ネイティブ記録方法で記録された映像および音声データを示す図である。同図に示すように、ネイティブ記録方法で記録された場合、図６及び図８と比較して記録映像データが少ない、すなわち記録容量が節約されていることが分かる。また、ネイティブ記録方法で記録された場合、単に記録映像データと記録音声データの再生開始タイミングを一致させるだけでは映像信号と音声信号を同期して出力することは出来ず、映像記録データの方が、尺が短いため再生が早く終了してしまうことが分かる。
【００２３】
そこで、図１０のように記録された素材について映像信号と音声信号を同期して出力する方法としては、いくつかの方法が用いられる。以下、図１１から図１４を用いて説明する。
【００２４】
図１１は、プルダウン変換を用いて６０Ｐ映像を出力する再生方法を示す図である。同図に示すように、このプルダウン変換を用いて６０Ｐ映像を出力する再生方法では、記録映像データを再生する際に、記録映像の第１のフレームを６０Ｐ映像の第１のフレームおよび第２のフレームに変換して再生し、第２のフレームを６０Ｐ映像の第３のフレームおよび第４のフレームおよび第５のフレームに変換して再生する。そして、以降も同様にして再生することにより、再生映像と再生音声を同期させて出力する。
【００２５】
図１２は、フレームレート変換を用いて２４Ｐ映像を出力する再生方法を示す図である。同図に示すように、このフレームレート変換を用いて２４Ｐ映像を出力する再生方法では、記録映像データ１フレーム当たりの再生時間を長くとることにより、再生映像と再生音声を同期させて出力する。
【００２６】
図１３は、プルダウン変換を用いて６０Ｉ映像を出力する再生方法を示す図である。同図に示すように、このプルダウン変換を用いて６０Ｉ映像を出力する再生方法では、記録映像データを再生する際に、記録映像の第１のフレームを６０Ｉ映像の第１のフレームの第１フィールドおよび第２フィールドに変換して再生する。そして、記録映像の第２のフレームを６０Ｉ映像の第２のフレームの第１フィールドおよび第２フィールドおよび第３のフレームの第１フィールドに変換して再生する。そして、記録映像の第３のフレームを６０Ｉ映像の第３のフレームの第２フィールドおよび第４のフレームの第１フィールドに変換して再生する。さらに、記録映像の第４のフレームを６０Ｉ映像の第４のフレームの第２フィールドおよび第５のフレームの第１フィールドおよび第２フィールドに変換して再生する。このようにして、以降も同様にして再生することにより、再生映像と再生音声を同期させて出力する。
【００２７】
図１４は、フレームレート変換を用いて２４ＰｓＦ映像を出力する再生方法を示す図である。同図に示すように、２４ＰｓＦ映像の映像信号である２４ＰｓＦ信号は、２４Ｐ信号をインターレース方式の映像信号に変換した信号であり、このフレームレート変換を用いて２４ＰｓＦ映像を出力する再生方法では、図１２と同様に再生映像と再生音声を同期させて出力する。
【００２８】
図１５は、６０Ｉ信号のネイティブ記録方法を示した図である。同図に示される映像記録指示情報は、図４に示されたようなプルダウンシーケンス検出部で検出したプルダウンシーケンス情報に従って、入力された６０Ｉ信号を記録する、あるいは入力された６０Ｉ信号を記録しないように制御するための情報である。プルダウンシーケンス検出部でプルダウンシーケンスを検出する方法としては、６０Ｐ信号のネイティブ記録方法と同じ方法が用いられる。
【００２９】
図１５に示すように、プルダウンシーケンス情報は０から４の数値で表され、６０Ｉ信号の１フレームすなわち２フィールドに対して１つのプルダウンシーケンス情報が割り当てられる。なお、プルダウンシーケンス情報として０が割り当てられたフレームをシーケンスの先頭と称する。プルダウンシーケンス情報が０、１および３のときは第１フィールド、第２フィールドとも記録するように制御され、プルダウンシーケンス情報が２のときは第２フィールドのみ記録するように制御され、プルダウンシーケンス情報が４のときは第１フィールドのみ記録するように制御される。
【００３０】
有効フレーム信号の抽出処理は、映像記録指示情報によって第１フィールドから記録指示された場合は今回入力された６０Ｉ信号の第１フィールドと第２フィールドを有効フレーム信号として抽出し、映像記録指示情報によって第２フィールドから記録指示された場合は今回入力された６０Ｉ信号の第２フィールドと次に入力される６０Ｉ信号の第１フィールドを有効フレーム信号として抽出するように制御される。
【００３１】
以上のように制御すれば、映像信号に関しては、６０Ｉ信号のうち映像記録指示情報により記録指示されたフィールドのみが有効フレーム信号として抽出され、映像記録データとして処理され記録される。音声信号に関しては、音声記録指示情報は記録動作中は常時記録するよう制御されるので削除されることなく記録される。これにより記録されたデータは、図１０に示された６０Ｐ信号のネイティブ記録方法と同様の映像記録データ及び音声記録データとなる。
【００３２】
このように、入力信号が安定し、かつ入力信号が切り替えられることなく連続して入力されるなどの条件が揃っている状態であれば、前述の方法で映像信号と音声信号を同期して出力することが可能である。
【００３３】
しかしながら、入力信号が、乱れていたり切り替えられるなどで不連続に入力される場合は、記録容量を節約する際に映像信号と音声信号との間にずれが生じ、前述の方法では映像信号と音声信号を同期して出力することができないという課題がある。
【００３４】
例えば、前述のように６０Ｐ信号または６０Ｉ信号を入力信号とする場合、入力信号が連続しているとは限らない。また、プルダウン変換されていない６０Ｐ信号または６０Ｉ信号が入力される可能性もある。さらには、ダビング用途で記録中に再生側機器の電源がオフ、オンされる、接続ケーブルが抜き差しされる、接続ケーブルにノイズが発生する等の要因で入力信号が乱れる可能性もある。
【００３５】
そこで、本発明は、このような課題に鑑みてなされたものであり、入力信号が乱れていたり切り替えられるなどで不連続に入力される場合であっても、再生した際に映像信号と音声信号とを同期するように出力することができる記録装置を提供することを目的とする。
【課題を解決するための手段】
【００３６】
上記目的を達成するために、本発明に係る記録装置は、入力された映像信号と音声信号とを記録する記録装置であって、第１の方式からプルダウンされた第２の方式の映像信号と、音声信号とを入力する入力部と、入力された前記映像信号のプルダウンシーケンスの不連続を検出する制御部と、前記映像信号が前記第１の方式の映像信号として記録されるように前記映像信号を記録するか否かを指示する映像記録指示情報と、前記音声信号を記録するか否かを指示する音声記録指示情報とを生成する記録指示情報生成部と、生成された前記映像記録指示情報及び前記音声記録指示情報により記録すると指示された映像信号及び音声信号に基づき、映像記録データと音声記録データとを出力する記録部とを備え、前記制御部は、前記プルダウンシーケンスの不連続を検出した後の所定の期間前記映像信号の記録が停止することで、記録された映像信号のプルダウンシーケンスが連続になるように、前記所定の期間の記録の状態を、前記映像信号と前記音声信号とを記録しない非記録状態と決定し、前記記録指示情報生成部は、決定された前記記録の状態に従って、前記映像記録指示情報と前記音声記録指示情報とを生成する。
【００３７】
これによれば、映像信号のプルダウンシーケンスが連続になるように、当該プルダウンシーケンスが不連続の間は、映像信号と音声信号とを記録しない非記録状態に決定される。これにより、映像信号と音声信号とが同期するように、映像記録データと音声記録データとが出力される。したがって、入力信号が乱れていたり切り替えられるなどで不連続に入力される場合であっても、映像信号のプルダウンシーケンスが連続になるように映像記録データと音声記録データとが出力されるので、再生した際に映像信号と音声信号とを同期するように出力することができる。
【００３８】
なお、請求の範囲に記載の「第１の方式」の映像信号は、例えば２４Ｐ信号であり、「第２の方式」の映像信号は、例えば６０Ｐ信号又は６０Ｉ信号である。
【００３９】
ここで、以下に、入力信号が乱れていたり切り替えられるなどで不連続に入力される場合に、記録容量を節約する際に映像信号と音声信号との間にずれが生じることについて説明する。入力信号が不連続の場合とは、入力される映像信号のプルダウンシーケンスが連続していない場合である。
【００４０】
図１６は、プルダウンシーケンスが変化した場合の記録例を示した図である。図１６に示すように、切り替え点１０１でプルダウンシーケンスが不連続になっている。また、切り替え点１０１以降の６０Ｐ信号の例として切り替え後の入力映像１０２を例にとれば、切り替え後の入力映像１０２と同じタイミングで入力されている音声は、切り替え後の入力音声１０３であることが分かる。
【００４１】
図１７は、プルダウンシーケンスが変化した場合に記録された映像および音声データ例を示した図である。図１８は、その素材をプルダウン変換を用いて再生した例を示した図である。
【００４２】
図１８に示すように、ネイティブ記録方法を用いて記録された映像データをプルダウン変換する場合は、図１１または図１３のように連続して変換するため、切り替え点１０１の直前の映像である記録映像の第４のフレームは再生映像の第８のフレーム、第９のフレームおよび第１０のフレームに変換される。また、切り替え点１０１の直後の映像である記録映像の第５のフレームは再生映像の第１１のフレームおよび第１２のフレームに変換される。つまり、切り替え点１０１の前後でプルダウンシーケンスが不連続になっていることにより、プルダウンシーケンスが連続している場合よりも２フレーム多く変換される。これにより、切り替え後の入力映像１０２は、切り替え後の入力音声１０３に比べて２フレーム遅れて出力されてしまうことが分かる。
【００４３】
図１９は、フレームレート変換を用いて再生した例を示した図である。同図に示すように、図１８と同様に、切り替え後の入力映像１０２は、切り替え後の入力音声１０３に比べて２フレーム遅れて出力されてしまうことが分かる。なお、６０Ｐ信号に関して説明したが、６０Ｉ信号に関しても同様の現象が発生する。
【００４４】
このように、切り替え点の前後でプルダウンシーケンスが不連続になっていることにより、映像信号と音声信号との間にずれが生じる。したがって、プルダウンシーケンスが連続になるようにすることで、映像信号と音声信号とを同期して出力することができる。
【００４５】
また、好ましくは、前記制御部は、入力された前記映像信号のプルダウンシーケンスを検出するプルダウンシーケンス検出部と、検出された前記プルダウンシーケンスを示す情報が、第１のプルダウンシーケンスから第２のプルダウンシーケンスに変化したことを不連続として検出するシーケンス状態制御部と、前記映像信号と前記音声信号とを記録する記録の状態を決定するシーケンス処理プロセス制御部とを備え、前記シーケンス処理プロセス制御部は、前記シーケンス状態制御部が不連続を検出した場合、前記不連続が検出されてから前記第１のプルダウンシーケンスが予め定められた値になるまでの第１期間の記録の状態を、前記第１のプルダウンシーケンスに従って前記映像信号と前記音声信号とを記録する記録状態と決定し、前記第１期間経過後、前記第２のプルダウンシーケンスが前記予め定められた値になるまでの第２期間の記録の状態を、前記映像信号と前記音声信号とを記録しない非記録状態と決定し、前記第２期間経過後の記録の状態を、前記第２のプルダウンシーケンスに従って前記映像信号と前記音声信号とを記録する記録状態と決定する。もしくは、前記制御部は、入力された前記映像信号のプルダウンシーケンスを検出するプルダウンシーケンス検出部と、記録中の前記映像信号のプルダウンシーケンスを示す情報である第１のプルダウンシーケンスを生成する記録シーケンス生成部と、前記プルダウンシーケンス検出部が検出した前記映像信号のプルダウンシーケンスを示す情報である第２のプルダウンシーケンスと前記第１のプルダウンシーケンスとが不一致になったことを不連続として検出するワーニング検出部と、前記映像信号と前記音声信号とを記録する記録の状態を決定する記録開始停止制御部とを備え、前記記録開始停止制御部は、前記ワーニング検出部が不連続を検出した場合、前記不連続が検出されてから前記第１のプルダウンシーケンスが予め定められた値になるまでの第１期間の記録の状態を、前記第１のプルダウンシーケンスに従って前記映像信号と前記音声信号とを記録する記録状態と決定し、前記第１期間経過後、前記第２のプルダウンシーケンスが前記予め定められた値になるまでの第２期間の記録の状態を、前記映像信号と前記音声信号とを記録しない非記録状態と決定し、前記第２期間経過後の記録の状態を、前記第２のプルダウンシーケンスに従って前記映像信号と前記音声信号とを記録する記録状態と決定することにしてもよい。
【００４６】
これによれば、プルダウンシーケンスが連続になるように、第１のプルダウンシーケンスが予め定められた値になるまでの第１期間を記録状態、第２のプルダウンシーケンスが前記予め定められた値になるまでの第２期間を非記録状態、第２期間以降を記録状態に決定する。例えば、プルダウンシーケンスを示す情報が０〜４で１つのサイクルになっている場合は、第１のプルダウンシーケンスが４になるまで記録状態とし、第２のプルダウンシーケンスが４になるまで非記録状態として、第２のプルダウンシーケンスが０以降は記録状態とする。これにより、第１のプルダウンシーケンスがサイクルを終了した後に、第２のプルダウンシーケンスが次のサイクルを開始する。したがって、入力信号が乱れていたり切り替えられるなどで不連続に入力される場合であっても、映像信号のプルダウンシーケンスが連続になるように映像記録データと音声記録データとが出力されるので、再生した際に映像信号と音声信号とを同期するように出力することができる。なお、出力されるデータを、第１期間までと、第２期間以降の２つに分離することができるため、ファイルを２つに分割する必要がある場合に有効である。
【００４７】
また、好ましくは、前記制御部は、さらに、入力された前記映像信号の乱れを検出する入力乱れ検出部を備え、前記シーケンス処理プロセス制御部は、さらに、前記乱れが検出されている間の記録の状態を、前記乱れが検出される前の前記映像信号のプルダウンシーケンスを示す情報である前記第１のプルダウンシーケンスに従って前記映像信号と前記音声信号とを記録する記録状態と決定し、前記シーケンス状態制御部は、前記プルダウンシーケンスを示す情報が、前記第１のプルダウンシーケンスから、前記乱れが検出されなくなった後に前記第２のプルダウンシーケンスに変化したことを不連続として検出する。
【００４８】
これによれば、入力乱れ中にプルダウンシーケンスが検出不可能となった場合であっても、記録状態を維持することができる。
【００４９】
また、好ましくは、前記制御部は、さらに、入力された前記映像信号の乱れを検出する入力乱れ検出部を備え、前記シーケンス状態制御部は、前記乱れが検出されたときに、前記第１のプルダウンシーケンスから前記第２のプルダウンシーケンスに変化したとして不連続を検出し、前記シーケンス処理プロセス制御部は、前記不連続が検出された場合、前記第１期間の記録の状態を、前記第１のプルダウンシーケンスに従って前記映像信号と前記音声信号とを記録する記録状態と決定し、前記第１期間経過後、前記乱れが検出されなくなり、かつ前記第２のプルダウンシーケンスが前記予め定められた値になるまでの前記第２期間の記録の状態を、前記映像信号と前記音声信号とを記録しない非記録状態と決定し、前記第２期間経過後の記録の状態を、前記第２のプルダウンシーケンスに従って前記映像信号と前記音声信号とを記録する記録状態と決定する。もしくは、前記制御部は、さらに、入力された前記映像信号の乱れを検出する入力乱れ検出部を備え、前記ワーニング検出部は、前記乱れが検出されたときに、前記第１のプルダウンシーケンスと前記第２のプルダウンシーケンスとが不一致になったとして不連続を検出し、前記記録開始停止制御部は、前記不連続が検出された場合、前記第１期間の記録の状態を、前記第１のプルダウンシーケンスに従って前記映像信号と前記音声信号とを記録する記録状態と決定し、前記第１期間経過後、前記乱れが検出されなくなり、かつ前記第２のプルダウンシーケンスが前記予め定められた値になるまでの前記第２期間の記録の状態を、前記映像信号と前記音声信号とを記録しない非記録状態と決定し、前記第２期間経過後の記録の状態を、前記第２のプルダウンシーケンスに従って前記映像信号と前記音声信号とを記録する記録状態と決定することにしてもよい。
【００５０】
これによれば、第２期間を非記録状態にすることで、入力信号が乱れた場合に乱れた区間を記録しないようにすることができる。
【００５１】
また、好ましくは、前記制御部は、入力された前記映像信号のプルダウンシーケンスを示す情報が、第１のプルダウンシーケンスから第２のプルダウンシーケンスに変化したことを不連続として検出し、前記不連続を検出したときに前記映像信号の記録が停止し、前記所定の期間経過後に前記映像信号の記録が開始することで、前記第１のプルダウンシーケンスと記録が開始された以降の前記第２のプルダウンシーケンスとが連続になる場合に、前記所定の期間の記録の状態を、前記映像信号と前記音声信号とを記録しない非記録状態と決定し、前記所定の期間後の記録の状態を、前記第２のプルダウンシーケンスに従って前記映像信号と前記音声信号とを記録する記録状態と決定する。
【００５２】
これによれば、プルダウンシーケンスが連続になるように、不連続が検出された後すぐに所定の期間の記録の状態を非記録状態にする。例えば、プルダウンシーケンスを示す情報が０〜４で１つのサイクルになっている場合は、第１のプルダウンシーケンスが３になった時点で不連続が検出されると、第２のプルダウンシーケンスが３になるまで非記録状態として、第２のプルダウンシーケンスが４以降は記録状態とする。これにより、第２のプルダウンシーケンスが第１のプルダウンシーケンスの途中から継続してサイクルを開始する。したがって、入力信号が乱れていたり切り替えられるなどで不連続に入力される場合であっても、映像信号のプルダウンシーケンスが連続になるように映像記録データと音声記録データとが出力されるので、再生した際に映像信号と音声信号とを同期するように出力することができる。なお、この場合、出力されるデータを２つに分離することができないため、ファイルを分割せずに１つのファイルを生成する場合に有効である。
【００５３】
なお、本発明は、このような記録装置として実現することができるだけでなく、記録装置が備える特徴的な各処理部の処理をステップとする方法として実現したり、各処理部の処理をコンピュータに実行させるプログラムとして実現したり、各処理部の処理を行う集積回路として実現したりすることができる。そして、そのようなプログラムは、ＣＤ−ＲＯＭ等の記録媒体やインターネット等の伝送媒体を介して配信することができるのは言うまでもない。
【発明の効果】
【００５４】
本発明の記録装置によれば、入力信号が乱れていたり切り替えられるなどで不連続に入力される場合であっても、再生した際に映像信号と音声信号を同期して出力することが出来る。
【発明を実施するための最良の形態】
【００５５】
以下本発明を実施するための最良の形態について、図面を参照しながら説明する。
【００５６】
（実施の形態１）
図２０は、本発明の実施の形態１における記録装置の構成例を示したブロック図である。同図に示すように、実施の形態１における記録装置は、入力部１０、制御部２０、記録指示情報生成部３０及び記録部４０を備えている。
【００５７】
入力部１０は、入力映像信号および入力音声信号を受信し、入力信号解析等のデコード処理を行い、デコード後の映像信号および音声信号を出力する。ここでは、入力映像信号は、６０Ｐ信号又は６０Ｉ信号である。また、フレームを認識するための情報としてフレーム認識情報Ｆｒｍを出力する。Ｆｒｍは、入力映像信号が６０Ｐ信号の場合は、例えば、第１フレームで１、第２フレームで０となる情報であり、入力映像信号が６０Ｉ信号の場合は、例えば、第１フィールドで１、第２フィールドで０となる情報である。
【００５８】
制御部２０は、入力映像信号のプルダウンシーケンスの不連続を検出する。そして、制御部２０は、プルダウンシーケンスの不連続を検出した後の所定の期間映像信号の記録が停止することで、記録された映像信号のプルダウンシーケンスが連続になるように、当該所定の期間の記録の状態を、映像信号と音声信号とを記録しない非記録状態と決定する。制御部２０は、プルダウンシーケンス検出部２１、シーケンス状態制御部２２、シーケンス処理プロセス制御部２３及び入力乱れ検出部２４を備えている。
【００５９】
プルダウンシーケンス検出部２１は、入力映像信号のプルダウンシーケンスを検出する。具体的には、プルダウンシーケンス検出部２１は、映像信号に重畳されたタイムコード情報を参照し、タイムコードのフレーム桁を５で割った剰余を計算する等の方法で入力映像のプルダウンシーケンスを検出し、当該プルダウンシーケンスを示す情報であるシーケンス情報ＤｅｔＳｅｑを出力する。
【００６０】
シーケンス状態制御部２２は、検出されたプルダウンシーケンスを示す情報が、第１のプルダウンシーケンスから第２のプルダウンシーケンスに変化したことを不連続として検出する。つまり、第１のプルダウンシーケンスは、不連続になる前のプルダウンシーケンスを示すシーケンス情報ＤｅｔＳｅｑであり、第２のプルダウンシーケンスは、不連続になった後のプルダウンシーケンスを示すシーケンス情報ＤｅｔＳｅｑである。
【００６１】
具体的には、シーケンス状態制御部２２は、シーケンス情報ＤｅｔＳｅｑと入力乱れ情報Ｖｌｏｃｋと後述するシーケンス処理プロセスＰｒｏｃとに基づいて、記録時に参照するためのシーケンス情報である採用するプルダウンシーケンスＲｅｆＳｅｑと入力映像のプルダウンシーケンスの連続性を示す情報であるシーケンス連続状態ＳｅｑＣｏｎｔとを出力する。詳細については、後述する。
【００６２】
シーケンス処理プロセス制御部２３は、映像信号と音声信号とを記録する記録の状態を決定する。具体的には、シーケンス処理プロセス制御部２３は、シーケンス状態制御部２２が不連続を検出した場合、不連続が検出されてから第１のプルダウンシーケンスが予め定められた値になるまでの第１期間の記録の状態を、第１のプルダウンシーケンスに従って映像信号と音声信号とを記録する記録状態と決定する。そして、シーケンス処理プロセス制御部２３は、第１期間経過後、第２のプルダウンシーケンスが当該予め定められた値になるまでの第２期間の記録の状態を、映像信号と音声信号とを記録しない非記録状態と決定する。さらに、シーケンス処理プロセス制御部２３は、第２期間経過後の記録の状態を、第２のプルダウンシーケンスに従って映像信号と音声信号とを記録する記録状態と決定する。
【００６３】
ここで、シーケンス処理プロセス制御部２３は、採用するプルダウンシーケンスＲｅｆＳｅｑとシーケンス連続状態ＳｅｑＣｏｎｔとに基づいて、シーケンス処理プロセス制御部２３の実行状態を表すシーケンス処理プロセスＰｒｏｃを出力する。詳細については、後述する。
【００６４】
入力乱れ検出部２４は、入力映像信号の乱れを検出する。具体的には、入力乱れ検出部２４は、映像信号の水平同期や垂直同期等の同期乱れを検出し、入力乱れ情報Ｖｌｏｃｋを出力する。
【００６５】
記録指示情報生成部３０は、映像信号が第１の方式の映像信号として記録されるように映像信号を記録するか否かを指示する映像記録指示情報と、音声信号を記録するか否かを指示する音声記録指示情報とを生成する。ここでは、第１の方式の映像信号は、２４Ｐ信号である。また、記録指示情報生成部３０は、制御部２０が決定した記録の状態に従って、映像記録指示情報と音声記録指示情報とを生成する。
【００６６】
具体的には、記録指示情報生成部３０は、フレーム認識情報Ｆｒｍと採用するプルダウンシーケンスＲｅｆＳｅｑとシーケンス処理プロセスＰｒｏｃとに基づいて、映像信号を記録するか否かを指示する映像記録指示情報Ｖｒｅｃおよび音声信号を記録するか否かを指示する音声記録指示情報Ａｒｅｃを出力する。詳細については、後述する。
【００６７】
記録部４０は、記録指示情報生成部３０が生成した映像記録指示情報及び音声記録指示情報により記録すると指示された映像信号及び音声信号に基づき、映像記録データと音声記録データとを出力する。具体的には、記録部４０は、映像信号や音声信号の圧縮処理等の信号処理を行い、映像記録指示情報Ｖｒｅｃおよび音声記録指示情報Ａｒｅｃに基づいて、映像記録データおよび音声記録データの出力を行う。なお、図示していないが、映像記録データおよび音声記録データは記録媒体に記録される。
【００６８】
次に、本実施の形態１で行う処理の詳細についてフローチャートを参照しながら説明する。なお、入力部１０および記録部４０の信号処理は常時行われ、記録指示情報生成部３０の実行周期は６０分の１秒（６０Ｐ信号の場合は１フレーム、６０Ｉ信号の場合は１フィールド）に１回、その他の処理部の実行周期は３０分の１秒（６０Ｐ信号の場合は２フレーム、６０Ｉ信号の場合は１フレーム）に１回とする。
【００６９】
図２１は、実施の形態１における記録装置が行う処理の一例を示すフローチャートである。
【００７０】
まず、入力部１０は、入力映像信号および入力音声信号を入力する（Ｓ１０２）。
【００７１】
そして、プルダウンシーケンス検出部２１は、入力映像信号のプルダウンシーケンスを検出する（Ｓ１０４）。
【００７２】
そして、シーケンス状態制御部２２は、プルダウンシーケンスの不連続を検出する（Ｓ１０６）。このシーケンス状態制御部２２が行う処理の詳細は、後述する。
【００７３】
次に、シーケンス処理プロセス制御部２３は、映像信号と音声信号とを記録する記録の状態を決定する（Ｓ１０８）。このシーケンス処理プロセス制御部２３が行う処理の詳細は、後述する。
【００７４】
そして、記録指示情報生成部３０は、映像記録指示情報と音声記録指示情報とを生成する（Ｓ１１０）。この記録指示情報生成部３０が行う処理の詳細は、後述する。
【００７５】
そして、記録部４０は、映像記録指示情報及び音声記録指示情報により記録すると指示された映像信号及び音声信号に基づき、映像記録データと音声記録データとを出力する（Ｓ１１２）。
【００７６】
次に、シーケンス状態制御部２２が行う処理（図２１のＳ１０６）の詳細を説明する。
【００７７】
図２２は、シーケンス状態制御部２２におけるシーケンス状態制御処理について示した図である。
【００７８】
まず、シーケンス状態制御部２２は、プルダウンシーケンスを示す情報であるシーケンス情報ＤｅｔＳｅｑの連続性を判断する（Ｓ２０２）。例えば、シーケンス状態制御部２２は、前回取り込んで保存しておいたＤｅｔＳｅｑ（以下、ＯｌｄＳｅｑ）と今回取り込んだＤｅｔＳｅｑを以下の比較式で比較し、右辺と左辺が一致していれば連続、不一致であれば連続していないと判断する。なお、式中の演算子％は剰余を表し、式１０１では５で割った剰余を表している。
【００７９】
【数１】
0005220627.tif 000002
【００８０】
シーケンス状態制御部２２は、シーケンス情報ＤｅｔＳｅｑが連続していると判断した場合（Ｓ２０２でＹＥＳ）、連続カウンタをインクリメントする（Ｓ２０４）。
【００８１】
そして、シーケンス状態制御部２２は、連続カウンタが規定された最大値以上か否かを判断する（Ｓ２０６）。これは、短期間だけ連続してすぐに不連続となる場合等の誤検出を防ぐためである。ここで、最大値の決定は入力信号の種類や記録装置の用途に応じて選択すればよい。なお、最大値を１と規定すれば遅延を最小にして連続を検出できる。
【００８２】
シーケンス状態制御部２２は、連続カウンタが規定値以上と判断した場合（Ｓ２０６でＹＥＳ）、シーケンス連続状態ＳｅｑＣｏｎｔを連続であることを示すＴｒｕｅに設定する（Ｓ２１０）。
【００８３】
シーケンス状態制御部２２は、連続カウンタが規定値未満であると判断した場合（Ｓ２０６でＮＯ）は、シーケンス連続状態ＳｅｑＣｏｎｔを連続でないことを示すＦａｌｓｅに設定する（Ｓ２１２）。
【００８４】
また、シーケンス状態制御部２２は、シーケンス情報ＤｅｔＳｅｑが連続していないと判断した場合（Ｓ２０２でＮＯ）は、何回連続と判断したかを表す連続カウンタを０クリアして（Ｓ２０８）、シーケンス連続状態ＳｅｑＣｏｎｔを連続でないことを示すＦａｌｓｅに設定する（Ｓ２１２）。
【００８５】
シーケンス状態制御部２２は、シーケンス連続状態ＳｅｑＣｏｎｔをＴｒｕｅに設定（Ｓ２１０）した後は、後述するシーケンス処理プロセスＰｒｏｃ＝２か否かを判断する（Ｓ２１４）。
【００８６】
シーケンス状態制御部２２は、シーケンス処理プロセスＰｒｏｃ＝２であると判断した場合（Ｓ２１４でＹＥＳ）、採用するプルダウンシーケンスＲｅｆＳｅｑにシーケンス情報ＤｅｔＳｅｑを代入する（Ｓ２１６）。
【００８７】
また、シーケンス状態制御部２２は、シーケンス処理プロセスＰｒｏｃ＝２でないと判断した場合は（Ｓ２１４でＮＯ）、採用するプルダウンシーケンスＲｅｆＳｅｑとして、前回採用したＲｅｆＳｅｑを１進めた値に設定する（Ｓ２１８）。
【００８８】
また、シーケンス状態制御部２２は、シーケンス連続状態ＳｅｑＣｏｎｔをＦａｌｓｅに設定（Ｓ２１２）した場合も、採用するプルダウンシーケンスＲｅｆＳｅｑとして、前回採用したＲｅｆＳｅｑを１進めた値に設定する（Ｓ２１８）。
【００８９】
以上で、シーケンス状態制御部２２が行う処理（図２１のＳ１０６）は終了する。
【００９０】
次に、シーケンス処理プロセス制御部２３が行う処理（図２１のＳ１０８）の詳細を説明する。
【００９１】
図２３から図２５は、シーケンス処理プロセス制御部２３におけるシーケンス処理プロセスＰｒｏｃの移行処理を示した図である。シーケンス処理プロセスＰｒｏｃは０から２までの値をとる。なお、初期値は０である。
【００９２】
図２３は、シーケンス処理プロセスＰｒｏｃ＝０のときのプロセス移行処理を示した図である。
【００９３】
まず、シーケンス処理プロセス制御部２３は、シーケンス連続状態ＳｅｑＣｏｎｔがＦａｌｓｅからＴｒｕｅに変化したか否かを判断する（Ｓ３０２）。これは、シーケンス情報ＤｅｔＳｅｑが不連続となり再び連続してその状態が安定したことを確認するためである。
【００９４】
そして、シーケンス処理プロセス制御部２３は、シーケンス連続状態ＳｅｑＣｏｎｔがＦａｌｓｅからＴｒｕｅに変化したと判断した場合（Ｓ３０２でＹＥＳ）、シーケンス処理プロセスＰｒｏｃを１に設定し（Ｓ３０４）、処理を終了する。
【００９５】
また、シーケンス処理プロセス制御部２３は、シーケンス連続状態ＳｅｑＣｏｎｔがＦａｌｓｅからＴｒｕｅに変化していない判断した場合（Ｓ３０２でＮＯ）、処理を終了する。
【００９６】
図２４は、シーケンス処理プロセスＰｒｏｃ＝１のときのプロセス移行処理を示した図である。
【００９７】
まず、シーケンス処理プロセス制御部２３は、採用するプルダウンシーケンスＲｅｆＳｅｑが０か否かを判断する（Ｓ３０６）。これは、シーケンス処理プロセスＰｒｏｃ＝１での動作中に、プルダウンシーケンスの先頭位置を検索するためである。
【００９８】
そして、シーケンス処理プロセス制御部２３は、採用するプルダウンシーケンスＲｅｆＳｅｑが０であると判断した場合（Ｓ３０６でＹＥＳ）、シーケンス処理プロセスＰｒｏｃを２に設定し（Ｓ３０８）、処理を終了する。
【００９９】
また、シーケンス処理プロセス制御部２３は、採用するプルダウンシーケンスＲｅｆＳｅｑが０でないと判断した場合（Ｓ３０６でＮＯ）、処理を終了する。
【０１００】
図２５は、シーケンス処理プロセスＰｒｏｃ＝２のときのプロセス移行処理を示した図である。
【０１０１】
まず、シーケンス処理プロセス制御部２３は、採用するプルダウンシーケンスＲｅｆＳｅｑが０か否かを判断する（Ｓ３１０）。これは、シーケンス処理プロセスＰｒｏｃ＝２での動作中に、プルダウンシーケンスの先頭位置を検索するためである。
【０１０２】
そして、シーケンス処理プロセス制御部２３は、採用するプルダウンシーケンスＲｅｆＳｅｑが０であると判断した場合（Ｓ３１０でＹＥＳ）、シーケンス処理プロセスＰｒｏｃを０に設定し（Ｓ３１２）、処理を終了する。
【０１０３】
また、シーケンス処理プロセス制御部２３は、採用するプルダウンシーケンスＲｅｆＳｅｑが０でないと判断した場合（Ｓ３１０でＮＯ）、処理を終了する。
【０１０４】
以上で、シーケンス処理プロセス制御部２３が行う処理（図２１のＳ１０８）は、終了する。
【０１０５】
次に、記録指示情報生成部３０が行う処理（図２１のＳ１１０）の詳細を説明する。
【０１０６】
図２６は、実施の形態１で行う記録指示情報生成処理を示した図である。
【０１０７】
まず、記録指示情報生成部３０は、シーケンス処理プロセスＰｒｏｃが２か否かを判断する（Ｓ４０２）。これは、映像信号及び音声信号を記録、非記録いずれの状態とすべきかを判断するためである。
【０１０８】
記録指示情報生成部３０は、シーケンス処理プロセスＰｒｏｃが２であると判断した場合（Ｓ４０２でＹＥＳ）、映像記録指示情報Ｖｒｅｃおよび音声記録指示情報Ａｒｅｃを、記録しないことを示す０に設定する（Ｓ４０４）。
【０１０９】
記録指示情報生成部３０は、シーケンス処理プロセスＰｒｏｃが２でないと判断した場合は（Ｓ４０２でＮＯ）、音声記録指示情報Ａｒｅｃを、記録することを示す１に設定する（Ｓ４０６）。
【０１１０】
そして、記録指示情報生成部３０は、映像記録指示情報Ｖｒｅｃの設定条件を判断する（Ｓ４０８）。これは、映像信号を有効フレーム信号として抽出すべきか否かを判断するものである。
【０１１１】
すなわち、記録指示情報生成部３０は、採用するプルダウンシーケンスＲｅｆＳｅｑ＝０かつ第１フレームであるか、または、ＲｅｆＳｅｑ＝１かつ第１フレームであるか、または、ＲｅｆＳｅｑ＝２かつ第２フレームであるか、または、ＲｅｆＳｅｑ＝３かつ第２フレームであるか、のいずれかの条件を満たす場合は（Ｓ４０８でＹＥＳ）、映像記録指示情報Ｖｒｅｃを、記録することを示す１に設定する（Ｓ４１０）。
【０１１２】
また、記録指示情報生成部３０は、いずれの条件も満たさない場合は（Ｓ４０８でＮＯ）、映像記録指示情報Ｖｒｅｃを、記録しないことを示す０に設定する（Ｓ４１２）。
【０１１３】
なお、上記条件は６０Ｐ信号の場合であり、６０Ｉ信号の場合は以下のようになる。すなわち、記録指示情報生成部３０は、採用するプルダウンシーケンスＲｅｆＳｅｑ＝０であるか、または、ＲｅｆＳｅｑ＝１であるか、または、ＲｅｆＳｅｑ＝３であるか、または、ＲｅｆＳｅｑ＝２かつ第２フィールドであるか、または、ＲｅｆＳｅｑ＝４かつ第１フィールドであるか、のいずれかの条件を満たす場合は（Ｓ４０８でＹＥＳ）、映像記録指示情報Ｖｒｅｃを、記録することを示す１に設定する（Ｓ４１０）。また、記録指示情報生成部３０は、いずれの条件も満たさない場合は（Ｓ４０８でＮＯ）、映像記録指示情報Ｖｒｅｃを、記録しないことを示す０に設定する（Ｓ４１２）。
【０１１４】
以上で、記録指示情報生成部３０が行う処理（図２１のＳ１１０）は、終了する。
【０１１５】
図２７は、図１６と同じ条件でプルダウンシーケンスが変化した場合の、本発明の実施の形態１における処理を行った場合の記録例を示した図である。なお、シーケンス状態制御部２２が行うシーケンス状態制御処理における連続カウンタの最大値は１としている。
【０１１６】
同図に示すように、シーケンス状態制御部２２は、検出されたプルダウンシーケンスを示す情報であるシーケンス情報ＤｅｔＳｅｑが、切り替え点１０１で第１のプルダウンシーケンスから第２のプルダウンシーケンスに変化したことを不連続として検出する。
【０１１７】
そして、シーケンス処理プロセス制御部２３は、不連続が検出されてから第１のプルダウンシーケンスが予め定められた値になるまで（ここでは、ＲｅｆＳｅｑが４になるまで）の第１期間（ここでは、Ｐｒｏｃ＝１の期間）の記録の状態を、ＲｅｆＳｅｑに従って映像信号と音声信号とを記録する記録状態と決定する。ここで、ＲｅｆＳｅｑは、第１のプルダウンシーケンスが第２のプルダウンシーケンスに変化しないと仮定した場合の第１のプルダウンシーケンスを示している。
【０１１８】
そして、シーケンス処理プロセス制御部２３は、Ｐｒｏｃ＝１の期間経過後、第２のプルダウンシーケンスが当該予め定められた値になるまで（ここでは、シーケンス情報ＤｅｔＳｅｑが４になるまで）の第２期間（ここでは、Ｐｒｏｃ＝２の期間）の記録の状態を、映像信号と音声信号とを記録しない非記録状態と決定する。ここで、Ｐｒｏｃ＝２の期間に、ＲｅｆＳｅｑ＝シーケンス情報ＤｅｔＳｅｑとなっている。
【０１１９】
さらに、シーケンス処理プロセス制御部２３は、Ｐｒｏｃ＝２の期間経過後の記録の状態を、シーケンス情報ＤｅｔＳｅｑに従って映像信号と音声信号とを記録する記録状態と決定する。ここで、ＲｅｆＳｅｑ＝シーケンス情報ＤｅｔＳｅｑであるので、シーケンス処理プロセス制御部２３は、Ｐｒｏｃ＝２の期間経過後の記録の状態を、ＲｅｆＳｅｑに従って映像信号と音声信号とを記録する記録状態と決定する。
【０１２０】
次に、記録指示情報生成部３０は、シーケンス処理プロセス制御部２３が決定した記録の状態に従って、また、映像信号が２４Ｐ信号として記録されるように、映像記録指示情報Ｖｒｅｃと音声記録指示情報Ａｒｅｃとを生成する。
【０１２１】
そして、記録部４０は、映像記録指示情報Ｖｒｅｃ及び音声記録指示情報Ａｒｅｃにより記録すると指示された映像信号及び音声信号に基づき、映像記録データと音声記録データとを出力する。
【０１２２】
図２８は、図２７によって作成された記録素材の映像および音声データ例を示した図である。図２９は、図２８の素材をプルダウン変換を用いて再生した例を示した図である。図２９に示すように、切り替え後の入力映像１０２と、切り替え後の入力音声１０３が、同じタイミングで出力されていることが分かる。なお、プルダウン変換を用いて再生する方法は、図１１又は図１３での説明と同様であるため、詳細については省略する。
【０１２３】
図３０は、図２８の素材をフレームレート変換を用いて再生した例を示した図である。図３０に示すように、切り替え後の入力映像１０２と、切り替え後の入力音声１０３とが、同じタイミングで出力されていることが分かる。なお、フレームレート変換を用いて再生する方法は、図１２での説明と同様であるため、詳細については省略する。
【０１２４】
図３１は、プルダウンシーケンスが変化した場合の別の記録例を示した図である。なお、シーケンス状態制御部２２が行うシーケンス状態制御処理における連続カウンタの最大値は１としている。
【０１２５】
本記録例では、同図に示すように、入力６０Ｐ信号の第６のフレームと第７のフレームとの間の切り替え点２０１で、プルダウンシーケンスが不連続になっている。この場合は、図２７での場合に比べ、第１期間（Ｐｒｏｃ＝１の期間）が短くなるため、早い段階で、Ｐｒｏｃ＝２の期間が経過して記録状態になり、映像記録データと音声記録データとを出力することができる。
【０１２６】
図３２は、図３１によって作成された記録素材の映像および音声データ例を示した図である。図３３は、図３２の素材をプルダウン変換を用いて再生した例を示した図である。図３３に示すように、切り替え後の入力映像２０２と、切り替え後の入力音声２０３が、同じタイミングで出力されていることが分かる。なお、プルダウン変換を用いて再生する方法は、図１１又は図１３での説明と同様であるため、詳細については省略する。
【０１２７】
図３４は、図３２の素材をフレームレート変換を用いて再生した例を示した図である。図３４に示すように、切り替え後の入力映像２０２と、切り替え後の入力音声２０３とが、同じタイミングで出力されていることが分かる。なお、フレームレート変換を用いて再生する方法は、図１２での説明と同様であるため、詳細については省略する。
【０１２８】
（変形例１）
ここで、本実施の形態１の第１の変形例について説明する。上記実施の形態１では、入力信号の乱れを考慮しなかったが、本変形例１では、入力乱れ検出部２４が入力乱れを検出する。
【０１２９】
図３５は、入力乱れを考慮した場合のシーケンス状態制御部２２が行う処理を示すフローチャートである。
【０１３０】
まず、シーケンス状態制御部２２は、入力乱れが発生したか否かを判断する（Ｓ５０１）。具体的には、シーケンス状態制御部２２は、入力乱れ検出部２４が入力乱れを検出していない間は、入力乱れ情報Ｖｌｏｃｋを、入力が乱れていないことを示すＬｏｃｋに設定し、入力乱れ検出部２４が入力乱れを検出した場合は、入力乱れ情報Ｖｌｏｃｋを、入力が乱れていることを示すＵｎｌｏｃｋに設定する。
【０１３１】
そして、シーケンス状態制御部２２は、入力乱れ情報ＶｌｏｃｋがＬｏｃｋに設定されていない場合は（Ｓ５０１でＮＯ）、シーケンス連続状態ＳｅｑＣｏｎｔをＦａｌｓｅに設定する（Ｓ５１２）。このため、入力乱れ検出部２４が入力乱れを検出している間は、シーケンス連続状態ＳｅｑＣｏｎｔがＦａｌｓｅに設定されることになり、記録状態が継続される。つまり、シーケンス処理プロセス制御部２３は、入力乱れ検出部２４が入力乱れを検出している間の記録の状態を、入力乱れが検出される前の映像信号のプルダウンシーケンスに従って映像信号と音声信号とを記録する記録状態と決定する。
【０１３２】
また、シーケンス状態制御部２２は、入力乱れ情報ＶｌｏｃｋをＬｏｃｋに設定した場合は（Ｓ５０１でＹＥＳ）、シーケンス情報ＤｅｔＳｅｑの連続性を判断する（Ｓ５０２）。つまり、シーケンス状態制御部２２は、プルダウンシーケンスが、入力乱れが検出される前後で変化したことを不連続として検出する。ここで、以降の処理（Ｓ５０２〜Ｓ５１８）は、図２２での処理（Ｓ２０２〜Ｓ２１８）と同様であるため、説明は省略する。
【０１３３】
このように、図３５によれば、入力が乱れていることを認識している間はシーケンス連続状態ＳｅｑＣｏｎｔ＝Ｆａｌｓｅとなり、採用するプルダウンシーケンスＲｅｆＳｅｑは不確定なシーケンス情報ＤｅｔＳｅｑによらず自走するモードとなる。次に入力信号に乱れが無くなったら、シーケンス情報ＤｅｔＳｅｑが連続していることを確認してからシーケンス連続状態ＳｅｑＣｏｎｔ＝Ｔｒｕｅとするので、入力乱れ中にシーケンス情報が検出不可能となった場合であってもその影響を受けず、入力映像信号のプルダウンシーケンスが連続でない場合と同様の効果を得ることが出来る。なお、入力乱れからの復帰において誤検出しないようにより余裕を持たせたい場合は、入力乱れからの復帰時のみ連続カウンタの最大値を増やすことにしてもよい。
【０１３４】
（変形例２）
次に、本実施の形態１の第２の変形例について説明する。上記変形例１では、入力信号が乱れた場合、記録状態を維持することにした。しかし、本変形例２では、入力信号が乱れた場合に、乱れた期間を非記録状態とする。
【０１３５】
つまり、シーケンス状態制御部２２は、入力乱れ検出部２４が入力乱れを検出したときに、プルダウンシーケンスを示す情報であるシーケンス情報ＤｅｔＳｅｑが、第１のプルダウンシーケンスから第２のプルダウンシーケンスに変化したとして不連続を検出する。
【０１３６】
そして、シーケンス処理プロセス制御部２３は、不連続が検出された場合、不連続が検出されてから第１のプルダウンシーケンスが予め定められた値になるまで（例えば、ＲｅｆＳｅｑが４になるまで）の第１期間（Ｐｒｏｃ＝１の期間）の記録の状態を、第１のプルダウンシーケンスに従って映像信号と音声信号とを記録する記録状態と決定する。
【０１３７】
そして、シーケンス処理プロセス制御部２３は、第１期間経過後、入力乱れが検出されなくなり、かつ第２のプルダウンシーケンスが当該予め定められた値になるまで（例えば、シーケンス情報ＤｅｔＳｅｑが４になるまで）の第２期間（Ｐｒｏｃ＝２の期間）の記録の状態を、映像信号と音声信号とを記録しない非記録状態と決定する。
【０１３８】
さらに、シーケンス処理プロセス制御部２３は、第２期間経過後の記録の状態を、第２のプルダウンシーケンスに従って映像信号と音声信号とを記録する記録状態と決定する。
【０１３９】
次に、記録指示情報生成部３０は、シーケンス処理プロセス制御部２３が決定した記録の状態に従って、また、映像信号が２４Ｐ信号として記録されるように、映像記録指示情報Ｖｒｅｃと音声記録指示情報Ａｒｅｃとを生成する。
【０１４０】
そして、記録部４０は、映像記録指示情報Ｖｒｅｃ及び音声記録指示情報Ａｒｅｃにより記録すると指示された映像信号及び音声信号に基づき、映像記録データと音声記録データとを出力する。
【０１４１】
このように、第２期間を非記録状態にすることで、入力信号が乱れた場合に乱れた区間を記録しないようにすることができる。
【０１４２】
なお、図２４及び図２５でのシーケンス処理プロセス制御部２３がプルダウンシーケンスの先頭位置を検索する処理（図２４のＳ３０６、図２５のＳ３１０）において、ＲｅｆＳｅｑと比較する特定値として０を使用したが、双方の処理（図２４のＳ３０６、図２５のＳ３１０）での特定値が同じであれば０から４のいずれの値を使用しても良い。ここで、特定値として０を使用する場合は、出力されるデータを、非記録状態の前後で２つに分離することができるため、ファイルを２つに分割する必要がある場合に有効である。
【０１４３】
以上のことから、本実施の形態１及びその変形例によれば、入力映像信号のプルダウンシーケンスが連続でない場合や入力信号が乱れた場合に記録された素材であっても、再生した際に映像信号と音声信号を同期して出力することが出来る。また、本実施の形態１で記録した前述の素材は従来の記録再生装置で再生したときであっても同じ効果を得ることが出来る。すなわち、再生装置に依存せず、再生した際に映像信号と音声信号とを同期して出力することが出来る素材を記録することが出来る。
【０１４４】
（実施の形態２）
図３６は、本発明の実施の形態２における記録装置の構成例を示したブロック図である。同図に示すように、実施の形態２における記録装置は、入力部１０、制御部２０、記録指示情報生成部３０及び記録部４０を備えている。そして、制御部２０は、プルダウンシーケンス検出部２１、入力乱れ検出部２４、ワーニング検出部２５、記録シーケンス生成部２６及び記録開始停止制御部２７を備えている。以下、図２０での説明と異なる部分に関して説明する。
【０１４５】
ワーニング検出部２５は、プルダウンシーケンス検出部２１が検出した入力映像信号のプルダウンシーケンスを示す情報である第２のプルダウンシーケンスと、記録シーケンス生成部２６が生成する第１のプルダウンシーケンスとが不一致になったことを不連続として検出する。また、ワーニング検出部２５は、乱れが検出されたときに、第１のプルダウンシーケンスと第２のプルダウンシーケンスとが不一致になったとして不連続を検出する。ここで、第１のプルダウンシーケンスは記録シーケンス情報ＲｅｃＳｅｑであり、第２のプルダウンシーケンスはシーケンス情報ＤｅｔＳｅｑである。
【０１４６】
具体的には、ワーニング検出部２５は、シーケンス情報ＤｅｔＳｅｑと入力乱れ情報Ｖｌｏｃｋと前回設定された記録シーケンス情報ＲｅｃＳｅｑとに基づいて、入力映像信号のプルダウンシーケンスと記録中のプルダウンシーケンスとが一致しているか否かを示す情報であるワーニング情報Ｗａｒｎを出力する。詳細については、後述する。
【０１４７】
記録シーケンス生成部２６は、記録中の映像信号のプルダウンシーケンスを示す情報である第１のプルダウンシーケンスとして、記録シーケンス情報ＲｅｃＳｅｑを生成する。
【０１４８】
具体的には、記録シーケンス生成部２６は、図示していない操作部から入力されたキー情報ＫｅｙＣｍｄと、シーケンス情報ＤｅｔＳｅｑと、ワーニング情報Ｗａｒｎと、実際に記録するか否かを示す情報である記録指示情報ＩｓＲｅｃとに基づいて、記録に移行すべきか否かを示す情報である記録状態ＲｅｃＳｔａｔと記録中のプルダウンシーケンスを示す情報である記録シーケンス情報ＲｅｃＳｅｑを出力する。詳細については、後述する。
【０１４９】
記録開始停止制御部２７は、映像信号と音声信号とを記録する記録状態を決定する。具体的には、記録開始停止制御部２７は、ワーニング検出部２５が不連続を検出した場合、不連続が検出されてから第１のプルダウンシーケンスが予め定められた値になるまでの第１期間の記録の状態を、第１のプルダウンシーケンスに従って映像信号と音声信号とを記録する記録状態と決定する。また、記録開始停止制御部２７は、第１期間経過後、乱れが検出されなくなり、かつ第２のプルダウンシーケンスが当該予め定められた値になるまでの第２期間の記録の状態を、映像信号と音声信号とを記録しない非記録状態と決定する。さらに、記録開始停止制御部２７は、第２期間経過後の記録の状態を、第２のプルダウンシーケンスに従って映像信号と音声信号とを記録する記録状態と決定する。
【０１５０】
ここで、記録開始停止制御部２７は、記録状態ＲｅｃＳｔａｔと記録シーケンス情報ＲｅｃＳｅｑとに基づいて、実際に記録するか否かを示す情報である記録指示情報ＩｓＲｅｃを出力する。詳細については、後述する。
【０１５１】
記録指示情報生成部３０は、フレーム認識情報Ｆｒｍと記録指示情報ＩｓＲｅｃとに基づいて、映像信号を記録するか否かを指示する映像記録指示情報Ｖｒｅｃおよび音声信号を記録するか否かを指示する音声記録指示情報Ａｒｅｃを出力する。
【０１５２】
次に、本実施の形態２で行う処理の詳細について、フローチャートを参照しながら説明する。なお、入力部１０および記録部４０の信号処理は常時行われ、記録指示情報生成部３０の実行周期は６０分の１秒（６０Ｐ信号の場合は１フレーム、６０Ｉ信号の場合は１フィールド）に１回、その他の処理部の実行周期は３０分の１秒（６０Ｐ信号の場合は２フレーム、６０Ｉ信号の場合は１フレーム）に１回とする。
【０１５３】
図３７は、実施の形態２における記録装置が行う処理の一例を示すフローチャートである。
【０１５４】
まず、入力部１０は、入力映像信号および入力音声信号を入力する（Ｓ６０２）。
【０１５５】
そして、プルダウンシーケンス検出部２１は、入力映像信号のプルダウンシーケンスを示す情報である第２のプルダウンシーケンスとして、シーケンス情報ＤｅｔＳｅｑを検出する（Ｓ６０４）。
【０１５６】
そして、記録シーケンス生成部２６は、記録シーケンス情報ＲｅｃＳｅｑを生成し、ワーニング検出部２５は、プルダウンシーケンスの不連続を検出する（Ｓ６０６）。具体的には、記録シーケンス生成部２６は、第１のプルダウンシーケンスとして記録シーケンス情報ＲｅｃＳｅｑを生成し、出力する。そして、ワーニング検出部２５は、シーケンス情報ＤｅｔＳｅｑと記録シーケンス情報ＲｅｃＳｅｑとが不一致になったことを、プルダウンシーケンスの不連続として検出し、ワーニング情報Ｗａｒｎを出力する。また、記録シーケンス生成部２６は、ワーニング情報Ｗａｒｎを用いて、記録シーケンス情報ＲｅｃＳｅｑを生成する。このワーニング検出部２５及び記録シーケンス生成部２６が行う処理の詳細は、後述する。
【０１５７】
次に、記録開始停止制御部２７は、映像信号と音声信号とを記録する記録状態を決定する（Ｓ６０８）。この記録開始停止制御部２７が行う処理の詳細は、後述する。
【０１５８】
そして、記録指示情報生成部３０は、映像記録指示情報と音声記録指示情報とを生成する（Ｓ６１０）。この記録指示情報生成部３０が行う処理の詳細は、後述する。
【０１５９】
そして、記録部４０は、映像記録指示情報及び音声記録指示情報により記録すると指示された映像信号及び音声信号に基づき、映像記録データと音声記録データとを出力する（Ｓ６１２）。
【０１６０】
次に、ワーニング検出部２５及び記録シーケンス生成部２６が行う処理（図３７のＳ６０６）の詳細を説明する。
【０１６１】
図３８は、ワーニング検出部２５におけるワーニング検出処理について示した図である。
【０１６２】
まず、ワーニング検出部２５は、入力乱れが発生したか否かを判断する（Ｓ７０２）。具体的には、ワーニング検出部２５は、入力乱れ検出部２４が入力乱れを検出していない間は、入力乱れ情報Ｖｌｏｃｋを、入力が乱れていないことを示すＬｏｃｋに設定し、入力乱れ検出部２４が入力乱れを検出した場合は、入力乱れ情報Ｖｌｏｃｋを、入力が乱れていることを示すＵｎｌｏｃｋに設定する。
【０１６３】
そして、ワーニング検出部２５は、入力乱れが発生していないと判断した場合（Ｓ７０２でＹＥＳ）、入力信号のプルダウンシーケンスを示す情報と記録中のプルダウンシーケンスを示す情報とが同じか否かを判断する（Ｓ７０４）。なお、ここで参照するＲｅｃＳｅｑは前回生成した値なので、今回入力されたＤｅｔＳｅｑと比較するために＋１している。
【０１６４】
そして、ワーニング検出部２５は、入力信号のプルダウンシーケンスを示す情報と記録中のプルダウンシーケンスを示す情報とが同じであると判断した場合（Ｓ７０４でＹＥＳ）、ワーニング情報Ｗａｒｎをワーニングなしを示すＮｏｎｅに設定する。
【０１６５】
また、ワーニング検出部２５は、入力信号のプルダウンシーケンスを示す情報と記録中のプルダウンシーケンスを示す情報とが同じでないと判断した場合（Ｓ７０４でＮＯ）、ワーニング情報Ｗａｒｎをワーニングありを示すＥｘｓｔに設定する。
【０１６６】
また、ワーニング検出部２５は、入力乱れが発生していると判断した場合も（Ｓ７０２でＮＯ）、ワーニング情報ＷａｒｎをＥｘｓｔに設定する。これにより、入力信号が乱れた場合に、乱れた区間を記録しないようにすることができる。
【０１６７】
以上で、ワーニング検出部２５が行う処理（図３７のＳ６０６）は、終了する。
【０１６８】
次に、記録シーケンス生成部２６が行う処理（図３７のＳ６０６）の詳細を説明する。
【０１６９】
図３９は、記録シーケンス生成部２６における記録シーケンス生成処理について示した図である。
【０１７０】
まず、記録シーケンス生成部２６は、操作部から入力されたキー情報ＫｅｙＣｍｄが記録を示すＲｅｃか否かを判断する（Ｓ８０２）。
【０１７１】
記録シーケンス生成部２６は、キー情報ＫｅｙＣｍｄがＲｅｃであると判断した場合（Ｓ８０２でＹＥＳ）は、ワーニング情報Ｗａｒｎがワーニングありを示すＥｘｓｔか否かを判断する（Ｓ８０４）。
【０１７２】
そして、記録シーケンス生成部２６は、ワーニング情報ＷａｒｎがＥｘｓｔであると判断した場合（Ｓ８０４でＹＥＳ）は、記録状態ＲｅｃＳｔａｔを記録しないことを示すＳｔｏｐに設定する。また、記録シーケンス生成部２６は、キー情報ＫｅｙＣｍｄがＲｅｃでないと判断した場合（Ｓ８０２でＮＯ）も、記録状態ＲｅｃＳｔａｔをＳｔｏｐに設定する。
【０１７３】
また、記録シーケンス生成部２６は、ワーニング情報ＷａｒｎがＥｘｓｔでないと判断した場合（Ｓ８０４でＮＯ）は、記録状態ＲｅｃＳｔａｔを記録することを示すＲｅｃに設定する（Ｓ８０８）。
【０１７４】
そして、記録シーケンス生成部２６は、実際に記録するか否かを示す情報である記録指示情報ＩｓＲｅｃが記録しないことを示すＦａｌｓｅであるか否かを判断する（Ｓ８１０）。
【０１７５】
記録シーケンス生成部２６は、ＩｓＲｅｃがＦａｌｓｅであると判断した場合（Ｓ８１０でＹＥＳ）、記録シーケンス情報ＲｅｃＳｅｑにシーケンス情報ＤｅｔＳｅｑを代入する。また、記録シーケンス生成部２６は、ＩｓＲｅｃがＦａｌｓｅでないと判断した場合（Ｓ８１０でＮＯ）は、記録シーケンス情報ＲｅｃＳｅｑを１進める設定を行う。
【０１７６】
以上で、記録シーケンス生成部２６が行う処理（図３７のＳ６０６）は、終了する。
【０１７７】
次に、記録開始停止制御部２７が行う処理（図３７のＳ６０８）の詳細を説明する。
【０１７８】
図４０は、記録開始停止制御部２７における記録開始制御処理を示した図である。記録開始停止制御部２７は、記録状態ＲｅｃＳｔａｔがＲｅｃであるとき記録開始制御処理を実行する。
【０１７９】
まず、記録開始停止制御部２７は、記録状態ＲｅｃＳｔａｔがＳｔｏｐからＲｅｃに変化したか否か、および、後述の記録開始フラグがＯｎであるか否かを判断する（Ｓ９０２）。なお、記録開始フラグの初期値はＯｆｆとする。
【０１８０】
記録開始停止制御部２７は、記録状態ＲｅｃＳｔａｔがＳｔｏｐからＲｅｃに変化したか、又は、記録開始フラグがＯｎであると判断した場合（Ｓ９０２でＹＥＳ）、記録開始処理を開始したか否かを示す記録開始フラグを、開始したことを示すＯｎに設定する（Ｓ９０４）。
【０１８１】
そして、記録開始停止制御部２７は、記録シーケンス情報ＲｅｃＳｅｑが０すなわちシーケンスの先頭か否かを判断する（Ｓ９０６）。
【０１８２】
記録開始停止制御部２７は、記録シーケンス情報ＲｅｃＳｅｑが０であると判断した場合（Ｓ９０６でＹＥＳ）、記録開始処理を開始したか否かを示す記録開始フラグを、終了したことを示すＯｆｆに設定する（Ｓ９０８）。
【０１８３】
そして、記録開始停止制御部２７は、記録指示情報ＩｓＲｅｃを、記録することを示すＴｒｕｅに設定する（Ｓ９１０）。また、記録開始停止制御部２７は、記録状態ＲｅｃＳｔａｔがＳｔｏｐからＲｅｃに変化しておらず、かつ、記録開始フラグがＯｎでないと判断した場合（Ｓ９０２でＮＯ）も、記録指示情報ＩｓＲｅｃをＴｒｕｅに設定する（Ｓ９１０）。
【０１８４】
記録開始停止制御部２７は、記録シーケンス情報ＲｅｃＳｅｑが０でないと判断した場合（Ｓ９０６でＮＯ）、記録指示情報ＩｓＲｅｃを、記録しないことを示すＦａｌｓｅに設定する（Ｓ９１２）。
【０１８５】
図４１は、記録開始停止制御部２７における記録停止制御処理を示した図である。記録開始停止制御部２７は、記録状態ＲｅｃＳｔａｔがＳｔｏｐであるときは記録停止制御処理を実行する。
【０１８６】
まず、記録開始停止制御部２７は、記録状態ＲｅｃＳｔａｔがＲｅｃからＳｔｏｐに変化したか否か、および、後述の記録停止フラグがＯｎであるか否かを判断する（Ｓ９２２）。なお、記録停止フラグの初期値はＯｆｆとする。
【０１８７】
記録開始停止制御部２７は、記録状態ＲｅｃＳｔａｔがＲｅｃからＳｔｏｐに変化したか、又は、記録停止フラグがＯｎであると判断した場合（Ｓ９２２でＹＥＳ）、記録停止処理を開始したか否かを示す記録停止フラグを、開始したことを示すＯｎに設定する（Ｓ９２４）。
【０１８８】
そして、記録開始停止制御部２７は、記録シーケンス情報ＲｅｃＳｅｑが０すなわちシーケンスの先頭か否かを判断する（Ｓ９２６）。
【０１８９】
記録開始停止制御部２７は、記録シーケンス情報ＲｅｃＳｅｑが０であると判断した場合（Ｓ９２６でＹＥＳ）、記録停止処理を開始したか否かを示す記録停止フラグを、終了したことを示すＯｆｆに設定する（Ｓ９２８）。
【０１９０】
そして、記録開始停止制御部２７は、記録指示情報ＩｓＲｅｃを、記録しないことを示すＦａｌｓｅに設定する（Ｓ９３０）。また、記録開始停止制御部２７は、記録状態ＲｅｃＳｔａｔがＲｅｃからＳｔｏｐに変化しておらず、かつ、記録停止フラグがＯｎでないと判断した場合（Ｓ９２２でＮＯ）も、記録指示情報ＩｓＲｅｃをＦａｌｓｅに設定する（Ｓ９３０）。
【０１９１】
記録開始停止制御部２７は、記録シーケンス情報ＲｅｃＳｅｑが０でないと判断した場合（Ｓ９２６でＮＯ）、記録指示情報ＩｓＲｅｃを、記録することを示すＴｒｕｅに設定する（Ｓ９３２）。
【０１９２】
以上で、記録開始停止制御部２７が行う処理（図３７のＳ６０８）は、終了する。
【０１９３】
次に、記録指示情報生成部３０が行う処理（図３７のＳ６１０）の詳細を説明する。
【０１９４】
図４２は、実施の形態２で行う記録指示情報生成処理を示した図である。
【０１９５】
まず、記録指示情報生成部３０は、記録指示情報ＩｓＲｅｃが記録しないことを示すＦａｌｓｅか否かを判断する（Ｓ１００２）。これは、映像信号及び音声信号を記録、非記録いずれの状態とすべきかを判断するためである。
【０１９６】
記録指示情報生成部３０は、記録指示情報ＩｓＲｅｃがＦａｌｓｅであると判断した場合は（Ｓ１００２でＹＥＳ）、映像記録指示情報Ｖｒｅｃおよび音声記録指示情報Ａｒｅｃを、記録しないことを示す０に設定する（Ｓ１００４）。
【０１９７】
記録指示情報生成部３０は、記録指示情報ＩｓＲｅｃがＦａｌｓｅでないと判断した場合は（Ｓ１００２でＮＯ）、音声記録指示情報Ａｒｅｃを、記録することを示す１に設定する（Ｓ１００６）。
【０１９８】
そして、記録指示情報生成部３０は、映像記録指示情報Ｖｒｅｃの設定条件を判断する（Ｓ１００８）。これは、映像信号を有効フレーム信号として抽出すべきか否かを判断するものである。
【０１９９】
すなわち、記録指示情報生成部３０は、採用するプルダウンシーケンスＲｅｃＳｅｑ＝０かつ第１フレームであるか、または、ＲｅｃＳｅｑ＝１かつ第１フレームであるか、または、ＲｅｃＳｅｑ＝２かつ第２フレームであるか、または、ＲｅｃＳｅｑ＝３かつ第２フレームであるか、のいずれかの条件を満たす場合は（Ｓ１００８でＹＥＳ）、映像記録指示情報Ｖｒｅｃを、記録することを示す１に設定する（Ｓ１０１０）。
【０２００】
また、記録指示情報生成部３０は、いずれの条件も満たさない場合は（Ｓ１００８でＮＯ）、映像記録指示情報Ｖｒｅｃを、記録しないことを示す０に設定する（Ｓ１０１２）。
【０２０１】
なお、上記条件は６０Ｐ信号の場合であり、６０Ｉ信号の場合は以下のようになる。すなわち、記録指示情報生成部３０は、採用するプルダウンシーケンスＲｅｃＳｅｑ＝０であるか、または、ＲｅｃＳｅｑ＝１であるか、または、ＲｅｃＳｅｑ＝３であるか、または、ＲｅｃＳｅｑ＝２かつ第２フィールドであるか、または、ＲｅｃＳｅｑ＝４かつ第１フィールドであるか、のいずれかの条件を満たす場合は（Ｓ１００８でＹＥＳ）、映像記録指示情報Ｖｒｅｃを、記録することを示す１に設定する（Ｓ１０１０）。また、記録指示情報生成部３０は、いずれの条件も満たさない場合は（Ｓ１００８でＮＯ）、映像記録指示情報Ｖｒｅｃを、記録しないことを示す０に設定する（Ｓ１０１２）。
【０２０２】
以上で、記録指示情報生成部３０が行う処理（図３７のＳ６１０）は、終了する。
【０２０３】
図４３は、図１６と同じ条件でプルダウンシーケンスが変化した場合の、本発明の実施の形態２における処理を行った場合の記録例を示した図である。なお、入力乱れは発生していないとしている。
【０２０４】
同図に示すように、記録シーケンス生成部２６は、記録シーケンス情報ＲｅｃＳｅｑを生成する。そして、ワーニング検出部２５は、プルダウンシーケンス検出部２１が検出したシーケンス情報ＤｅｔＳｅｑと記録シーケンス情報ＲｅｃＳｅｑとが不一致になったことを、プルダウンシーケンスの不連続として検出し、ワーニング情報Ｗａｒｎ＝Ｅｘｓｔを出力する。
【０２０５】
次に、記録開始停止制御部２７は、ワーニング検出部２５が不連続を検出した場合、不連続が検出されてから記録シーケンス情報ＲｅｃＳｅｑが予め定められた値（ここでは、４）になるまでの第１期間（ここでは、記録指示情報ＩｓＲｅｃ＝Ｔｒｕｅの期間）の記録の状態を、記録シーケンス情報ＲｅｃＳｅｑに従って映像信号と音声信号とを記録する記録状態と決定する。
【０２０６】
また、記録開始停止制御部２７は、第１期間経過後、乱れが検出されなくなり、かつシーケンス情報ＤｅｔＳｅｑが当該予め定められた値（ここでは、４）になるまでの第２期間（ここでは、記録指示情報ＩｓＲｅｃ＝Ｆａｌｓｅの期間）の記録の状態を、映像信号と音声信号とを記録しない非記録状態と決定する。
【０２０７】
さらに、記録開始停止制御部２７は、第２期間経過後の記録の状態を、シーケンス情報ＤｅｔＳｅｑに従って映像信号と音声信号とを記録する記録状態と決定する。ここで、記録シーケンス生成部２６は、ワーニング情報Ｗａｒｎ＝Ｅｘｓｔが入力されると、記録シーケンス情報ＲｅｃＳｅｑ＝シーケンス情報ＤｅｔＳｅｑとする。つまり、記録開始停止制御部２７は、第２期間経過後の記録の状態を、記録シーケンス情報ＲｅｃＳｅｑに従って映像信号と音声信号とを記録する記録状態と決定する。
【０２０８】
次に、記録指示情報生成部３０は、シーケンス処理プロセス制御部２３が決定した記録の状態に従って、また、映像信号が２４Ｐ信号として記録されるように、映像記録指示情報Ｖｒｅｃと音声記録指示情報Ａｒｅｃとを生成する。
【０２０９】
そして、記録部４０は、映像記録指示情報Ｖｒｅｃ及び音声記録指示情報Ａｒｅｃにより記録すると指示された映像信号及び音声信号に基づき、映像記録データと音声記録データとを出力する。
【０２１０】
図４４は、図４３によって作成された記録素材の映像および音声データ例を示した図である。図４５は、図４４の素材をプルダウン変換を用いて再生した例を示した図である。図４５に示すように、切り替え後の入力映像１０２と、切り替え後の入力音声１０３が、同じタイミングで出力されていることが分かる。なお、プルダウン変換を用いて再生する方法は、図１１又は図１３での説明と同様であるため、詳細については省略する。
【０２１１】
図４６は、図４４の素材をフレームレート変換を用いて再生した例を示した図である。図４６に示すように、切り替え後の入力映像１０２と、切り替え後の入力音声１０３が、同じタイミングで出力されていることが分かる。なお、フレームレート変換を用いて再生する方法は、図１２での説明と同様であるため、詳細については省略する。
【０２１２】
また、図３８に示したように、入力乱れが発生し、入力乱れ検出部２４が入力乱れを検出している期間（図３８のＳ７０２でＮＯ）は、ワーニング情報Ｗａｒｎ＝Ｅｘｓｔすなわち非記録とすることが出来る。
【０２１３】
なお、図４０及び図４１での記録開始停止制御部２７がプルダウンシーケンスの先頭位置を検索する処理（図４０のＳ９０６及び図４１のＳ９２６）において、ＲｅｃＳｅｑと比較する特定値として０を使用したが、双方の処理（図４０のＳ９０６及び図４１のＳ９２６）での特定値が同じであれば０から４のいずれの値を使用しても良い。ここで、特定値として０を使用する場合は、出力されるデータを、非記録状態の前後で２つに分離することができるため、ファイルを２つに分割する必要がある場合に有効である。
【０２１４】
以上のことから、本実施の形態によれば、入力映像信号のプルダウンシーケンスが連続でない場合や入力信号が乱れた場合に記録された素材であっても、再生した際に映像信号と音声信号とを同期して出力することが出来る。また、本実施の形態で記録した前述の素材は従来の記録再生装置で再生したときであっても同じ効果を得ることが出来る。すなわち、再生装置に依存せず、再生した際に映像信号と音声信号とを同期して出力することが出来る素材を記録することが出来る。また、記録中に入力乱れが発生している期間を非記録とすることが出来る。
【０２１５】
（実施の形態３）
図４７は、本発明の実施の形態３における記録装置の構成例を示したブロック図である。同図に示すように、実施の形態３における記録装置は、入力部１０、制御部２０、記録指示情報生成部３０及び記録部４０を備えている。ここで、入力部１０、記録指示情報生成部３０及び記録部４０は、図２０での説明と同様であるため、説明を省略する。
【０２１６】
制御部２０は、入力映像信号のプルダウンシーケンスを示す情報が、第１のプルダウンシーケンスから第２のプルダウンシーケンスに変化したことを不連続として検出する。
【０２１７】
そして、制御部２０は、不連続を検出したときに映像信号の記録が停止し、所定の期間経過後に映像信号の記録が開始することで、第１のプルダウンシーケンスと記録が開始された以降の第２のプルダウンシーケンスとが連続になる場合に、所定の期間の記録の状態を、映像信号と音声信号とを記録しない非記録状態と決定する。
【０２１８】
そして、制御部２０は、所定の期間後の記録の状態を、第２のプルダウンシーケンスに従って映像信号と音声信号とを記録する記録状態と決定する。
【０２１９】
次に、本実施の形態３で行う処理の詳細について、フローチャートを参照しながら説明する。なお、入力部１０および記録部４０の信号処理は常時行われ、記録指示情報生成部３０の実行周期は６０分の１秒（６０Ｐ信号の場合は１フレーム、６０Ｉ信号の場合は１フィールド）に１回、その他の処理部の実行周期は３０分の１秒（６０Ｐ信号の場合は２フレーム、６０Ｉ信号の場合は１フレーム）に１回とする。
【０２２０】
図４８は、実施の形態３における記録装置が行う処理の一例を示すフローチャートである。
【０２２１】
まず、入力部１０は、入力映像信号および入力音声信号を入力する（Ｓ１１０２）。
【０２２２】
そして、制御部２０は、入力映像信号のプルダウンシーケンスを検出する（Ｓ１１０４）。そして、制御部２０は、入力映像信号のプルダウンシーケンスを示す情報が、第１のプルダウンシーケンスから第２のプルダウンシーケンスに変化したことを不連続として検出する（Ｓ１１０６）。
【０２２３】
そして、制御部２０は、映像信号と音声信号とを記録する記録の状態を決定する（Ｓ１１０８）。具体的には、制御部２０は、不連続を検出したときに映像信号の記録が停止し、所定の期間経過後に映像信号の記録が開始することで、第１のプルダウンシーケンスと記録が開始された以降の第２のプルダウンシーケンスとが連続になる場合に、所定の期間の記録の状態を、映像信号と音声信号とを記録しない非記録状態と決定する。そして、制御部２０は、所定の期間後の記録の状態を、第２のプルダウンシーケンスに従って映像信号と音声信号とを記録する記録状態と決定する。
【０２２４】
次に、記録指示情報生成部３０は、制御部２０が決定した記録の状態に従って、また、映像信号が２４Ｐ信号として記録されるように、映像記録指示情報と音声記録指示情報とを生成する（Ｓ１１１０）。
【０２２５】
そして、記録部４０は、映像記録指示情報及び音声記録指示情報により記録すると指示された映像信号及び音声信号に基づき、映像記録データと音声記録データとを出力する（Ｓ１１１２）。
【０２２６】
図４９は、図１６と同じ条件でプルダウンシーケンスが変化した場合の、本発明の実施の形態３における処理を行った場合の記録例を示した図である。なお、入力乱れは発生していないとする。
【０２２７】
同図に示すように、制御部２０は、検出されたプルダウンシーケンスを示す情報であるシーケンス情報ＤｅｔＳｅｑが、切り替え点１０１で第１のプルダウンシーケンスから第２のプルダウンシーケンスに変化したことを不連続として検出する。
【０２２８】
そして、制御部２０は、不連続を検出した以降の所定の期間（ここでは、記録指示情報ＩｓＲｅｃ＝Ｆａｌｓｅの期間）の記録の状態を、映像信号と音声信号とを記録しない非記録状態と決定する。つまり、第１のプルダウンシーケンスが３で不連続が検出された場合、第１のプルダウンシーケンスが３で非記録状態になり、第２のプルダウンシーケンスが４になったときに、記録が開始される。
【０２２９】
そして、制御部２０は、当該所定の期間後の記録の状態を、第２のプルダウンシーケンスに従って映像信号と音声信号とを記録する記録状態と決定する。これにより、第１のプルダウンシーケンスと記録が開始された以降の第２のプルダウンシーケンスとが連続になる。
【０２３０】
次に、記録指示情報生成部３０は、制御部２０が決定した記録の状態に従って、また、映像信号が２４Ｐ信号として記録されるように、映像記録指示情報Ｖｒｅｃと音声記録指示情報Ａｒｅｃとを生成する。
【０２３１】
そして、記録部４０は、映像記録指示情報Ｖｒｅｃ及び音声記録指示情報Ａｒｅｃにより記録すると指示された映像信号及び音声信号に基づき、映像記録データと音声記録データとを出力する。
【０２３２】
図５０は、図４９によって作成された記録素材の映像および音声データ例を示した図である。図５１は、図５０の素材をプルダウン変換を用いて再生した例を示した図である。図５１に示すように、切り替え後の入力映像１０２と、切り替え後の入力音声１０３が、同じタイミングで出力されていることが分かる。なお、プルダウン変換を用いて再生する方法は、図１１又は図１３での説明と同様であるため、詳細については省略する。
【０２３３】
図５２は、図５０の素材をフレームレート変換を用いて再生した例を示した図である。図５２に示すように、切り替え後の入力映像１０２と、切り替え後の入力音声１０３が、同じタイミングで出力されていることが分かる。なお、フレームレート変換を用いて再生する方法は、図１２での説明と同様であるため、詳細については省略する。
【０２３４】
以上のことから、本実施の形態によれば、入力映像信号のプルダウンシーケンスが連続でない場合や入力信号が乱れた場合に記録された素材であっても、再生した際に映像信号と音声信号とを同期して出力することが出来る。また、本実施の形態で記録した前述の素材は従来の記録再生装置で再生したときであっても同じ効果を得ることが出来る。すなわち、再生装置に依存せず、再生した際に映像信号と音声信号とを同期して出力することが出来る素材を記録することが出来る。なお、本実施の形態の場合、出力されるデータを２つに分離することができないため、ファイルを分割せずに１つのファイルを生成する場合に有効である。
【０２３５】
図５３〜図５５は、本発明にかかる記録装置の具体例を示す図である。
【０２３６】
図５３は、複数台のカメラをスイッチャーで切り替えて、記録装置にネイティブ記録を行うことを示す図である。同図に示すように、複数台のカメラが切り替えられると、記録装置への入力信号が不連続になる。この場合でも、本発明にかかる記録装置を使用することで、再生した際に映像信号と音声信号とを同期して出力することができる。
【０２３７】
図５４は、放送波やケーブルテレビを受信してチャンネル切り替えながら、記録装置にネイティブ記録を行うことを示す図である。同図に示すように、放送波やケーブルテレビの受信チャンネルが切り替えられると、記録装置への入力信号が不連続になる。この場合でも、本発明にかかる記録装置を使用することで、再生した際に映像信号と音声信号とを同期して出力することができる。
【０２３８】
図５５は、記録装置にネイティブダビングを行うことを示す図である。同図に示すように、不連続な映像を再生して記録装置に出力する場合、記録装置への入力信号が不連続になる。この場合でも、本発明にかかる記録装置を使用することで、再生した際に映像信号と音声信号とを同期して出力することができる。
【０２３９】
なお、図２０、図３６や図４７に示されたブロック図の各機能ブロックは集積回路であるＬＳＩとして実現されてもよい。これらは個別に１チップ化されても良いし、一部又は全てを含むように１チップ化されても良い。なお、ここでは、ＬＳＩとしたが、集積度の違いにより、ＩＣ、システムＬＳＩ、スーパーＬＳＩ、ウルトラＬＳＩと呼称されることもある。
【０２４０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０２４１】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０２４２】
以上、本発明に係る記録装置について、上記実施の形態を用いて説明したが、本発明は、これに限定されるものではない。
【０２４３】
つまり、今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０２４４】
本発明にかかる記録装置は、入力映像信号のプルダウンシーケンスが連続でない場合や入力信号が乱れた場合に記録された素材であっても、再生した際に映像信号と音声信号とを同期して出力することが可能になるので、映像制作を行うデジタルシネマ制作分野で使用する記録装置等として有用である。
【図面の簡単な説明】
【０２４５】
【図１】通常のビデオカメラの構成例を示した図である。
【図２】プルダウン記録方法を用いたデジタルシネマ制作機器の構成例を示した図である。
【図３】ネイティブ記録方法を用いたデジタルシネマ制作機器の構成例を示した図である。
【図４】撮像手段を有しないデジタルシネマ制作機器の構成例を示した図である。
【図５】通常のビデオカメラの映像および音声の記録方法を示した図である。
【図６】通常のビデオカメラで記録された映像および音声データを示した図である。
【図７】プルダウン記録方法を用いた映像および音声記録方法を示した図である。
【図８】プルダウン記録方法を用いて記録された映像および音声データを示した図である。
【図９】６０Ｐ信号のネイティブ記録方法を示した図である。
【図１０】ネイティブ記録方法で記録された映像および音声データを示した図である。
【図１１】プルダウン変換を用いて６０Ｐ映像を出力する再生方法を示した図である。
【図１２】フレームレート変換を用いて２４Ｐ映像を出力する再生方法を示した図である。
【図１３】プルダウン変換を用いて６０Ｉ映像を出力する再生方法を示した図である。
【図１４】フレームレート変換を用いて２４ＰｓＦ映像を出力する再生方法を示した図である。
【図１５】６０Ｉ信号のネイティブ記録方法を示した図である。
【図１６】プルダウンシーケンスが変化した場合の記録例を示した図である。
【図１７】プルダウンシーケンスが変化した場合に記録された映像および音声データ例を示した図である。
【図１８】プルダウンシーケンスが変化した場合の素材再生（プルダウン変換）を示した図である。
【図１９】プルダウンシーケンスが変化した場合の素材再生（フレームレート変換）を示した図である。
【図２０】本発明の実施の形態１における記録装置の構成例を示したブロック図である。
【図２１】実施の形態１における記録装置が行う処理の一例を示すフローチャートである。
【図２２】実施の形態１におけるシーケンス状態制御処理を示すフローチャートである。
【図２３】実施の形態１におけるＰｒｏｃ＝０のときのプロセス移行処理を示すフローチャートである。
【図２４】実施の形態１におけるＰｒｏｃ＝１のときのプロセス移行処理を示すフローチャートである。
【図２５】実施の形態１におけるＰｒｏｃ＝２のときのプロセス移行処理を示すフローチャートである。
【図２６】実施の形態１における記録指示情報生成処理を示すフローチャートである。
【図２７】実施の形態１におけるプルダウンシーケンスが変化した場合の記録例を示した図である。
【図２８】実施の形態１におけるプルダウンシーケンスが変化した場合に記録された映像および音声データ例を示した図である。
【図２９】実施の形態１におけるプルダウンシーケンスが変化した場合の素材再生（プルダウン変換）を示した図である。
【図３０】実施の形態１におけるプルダウンシーケンスが変化した場合の素材再生（フレームレート変換）を示した図である。
【図３１】実施の形態１におけるプルダウンシーケンスが変化した場合の別の記録例を示した図である。
【図３２】実施の形態１における図３１の記録例の場合の映像および音声データ例を示した図である。
【図３３】実施の形態１における図３１の記録例の場合の素材再生（プルダウン変換）を示した図である。
【図３４】実施の形態１における図３１の記録例の場合の素材再生（フレームレート変換）を示した図である。
【図３５】実施の形態１の変形例１における入力乱れを考慮した場合のシーケンス状態制御部が行う処理を示すフローチャートである。
【図３６】本発明の実施の形態２における記録装置の構成例を示したブロック図である。
【図３７】実施の形態２における記録装置が行う処理の一例を示すフローチャートである。
【図３８】実施の形態２におけるワーニング検出処理を示すフローチャートである。
【図３９】実施の形態２における記録シーケンス生成処理を示すフローチャートである。
【図４０】実施の形態２における記録開始制御処理を示すフローチャートである。
【図４１】実施の形態２における記録停止制御処理を示すフローチャートである。
【図４２】実施の形態２における記録指示情報生成処理を示すフローチャートである。
【図４３】実施の形態２におけるプルダウンシーケンスが変化した場合の記録例を示した図である。
【図４４】実施の形態２におけるプルダウンシーケンスが変化した場合に記録された映像および音声データ例を示した図である。
【図４５】実施の形態２におけるプルダウンシーケンスが変化した場合の素材再生（プルダウン変換）を示した図である。
【図４６】実施の形態２におけるプルダウンシーケンスが変化した場合の素材再生（フレームレート変換）を示した図である。
【図４７】本発明の実施の形態３における記録装置の構成例を示したブロック図である。
【図４８】実施の形態３における記録装置が行う処理の一例を示すフローチャートである。
【図４９】実施の形態３におけるプルダウンシーケンスが変化した場合の記録例を示した図である。
【図５０】実施の形態３におけるプルダウンシーケンスが変化した場合に記録された映像および音声データ例を示した図である。
【図５１】実施の形態３におけるプルダウンシーケンスが変化した場合の素材再生（プルダウン変換）を示した図である。
【図５２】実施の形態３におけるプルダウンシーケンスが変化した場合の素材再生（フレームレート変換）を示した図である。
【図５３】本発明にかかる記録装置の具体例を示す図である。
【図５４】本発明にかかる記録装置の具体例を示す図である。
【図５５】本発明にかかる記録装置の具体例を示す図である。
【符号の説明】
【０２４６】
１０  入力部
２０  制御部
２１  プルダウンシーケンス検出部
２２  シーケンス状態制御部
２３  シーケンス処理プロセス制御部
２４  入力乱れ検出部
２５  ワーニング検出部
２６  記録シーケンス生成部
２７  記録開始停止制御部
３０  記録指示情報生成部
４０  記録部
【図１】
0005220627.tif 000003
【図２】
0005220627.tif 000004
【図３】
0005220627.tif 000005
【図４】
0005220627.tif 000006
【図５】
0005220627.tif 000007
【図６】
0005220627.tif 000008
【図７】
0005220627.tif 000009
【図８】
0005220627.tif 000010
【図９】
0005220627.tif 000011
【図１０】
0005220627.tif 000012
【図１１】
0005220627.tif 000013
【図１２】
0005220627.tif 000014
【図１３】
0005220627.tif 000015
【図１４】
0005220627.tif 000016
【図１５】
0005220627.tif 000017
【図１６】
0005220627.tif 000018
【図１７】
0005220627.tif 000019
【図１８】
0005220627.tif 000020
【図１９】
0005220627.tif 000021
【図２０】
0005220627.tif 000022
【図２１】
0005220627.tif 000023
【図２２】
0005220627.tif 000024
【図２３】
0005220627.tif 000025
【図２４】
0005220627.tif 000026
【図２５】
0005220627.tif 000027
【図２６】
0005220627.tif 000028
【図２７】
0005220627.tif 000029
【図２８】
0005220627.tif 000030
【図２９】
0005220627.tif 000031
【図３０】
0005220627.tif 000032
【図３１】
0005220627.tif 000033
【図３２】
0005220627.tif 000034
【図３３】
0005220627.tif 000035
【図３４】
0005220627.tif 000036
【図３５】
0005220627.tif 000037
【図３６】
0005220627.tif 000038
【図３７】
0005220627.tif 000039
【図３８】
0005220627.tif 000040
【図３９】
0005220627.tif 000041
【図４０】
0005220627.tif 000042
【図４１】
0005220627.tif 000043
【図４２】
0005220627.tif 000044
【図４３】
0005220627.tif 000045
【図４４】
0005220627.tif 000046
【図４５】
0005220627.tif 000047
【図４６】
0005220627.tif 000048
【図４７】
0005220627.tif 000049
【図４８】
0005220627.tif 000050
【図４９】
0005220627.tif 000051
【図５０】
0005220627.tif 000052
【図５１】
0005220627.tif 000053
【図５２】
0005220627.tif 000054
【図５３】
0005220627.tif 000055
【図５４】
0005220627.tif 000056
【図５５】
0005220627.tif 000057